(57)【要約】【課題】効率的にＨＡＲＱ−ＡＣＫの送受信を行うことができる。【解決手段】端末装置は、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積し、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択し、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋと、を１つのＰＵＣＣＨで送信する。【選択図】図６
2020150391.tif 000002
【特許請求の範囲】
【請求項１】
プロセッサと、 コンピュータプログラムコードを格納するメモリと、を備える端末装
置であって、前記コンピュータプログラムコードが前記プロセッサによって実行されると、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積すること、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択すること、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋとを１つのＰＵＣＣＨで送信することと、を含む動作を実行する端末装置。
【請求項２】
送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信すること、を含む動作を更に実行する請求項１に記載の端末装置。
【請求項３】
プロセッサと、コンピュータプログラムコードを格納するメモリと、を備える基地局
装置であって、前記コンピュータプログラムコードが前記プロセッサによって実行されると、ＨＡＲＱ−ＡＣＫ  ｃｏｄｅｂｏｏｋを検出するまで、送信されたＨＡＲＱ−ＡＣＫ
ｃｏｄｅｂｏｏｋが検出されていないことを示す制御情報を送信すること、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１つ以上の再送の前記ＨＡＲＱ−ＡＣＫ  ｃｏｄｅｂｏｏｋを受信することと、を含む動作を実行する基地局装置。
【請求項４】
送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信すること、を含む動作を更に実行する請求項３に記載の基地局装置。
【請求項５】
端末装置に用いられる通信方法であって、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積するステップと、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択するステップと、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋと、を１つのＰＵＣＣＨで送信するステップと、を含む通信方法。
【請求項６】
送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信するステップ、を更に含む請求項５に記載の通信方法。
【請求項７】
基地局装置に用いられる通信方法であって、ＨＡＲＱ−ＡＣＫ  ｃｏｄｅｂｏｏｋを検出するまで、送信されたＨＡＲＱ−ＡＣＫ  ｃｏｄｅｂｏｏｋが検出されていないことを示す制御情報を送信するステップと、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１つ以上の再送の前記ＨＡＲＱ−
ＡＣＫ  ｃｏｄｅｂｏｏｋを受信するステップと、を含む通信方法。
【請求項８】
送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信するステップ、を更に含む請求項７に記載の通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Ｌｏｎｇ Ｔ
ｅｒｍ Ｅｖｏｌｕｔｉｏｎ （ＬＴＥ）」、または、「ＥＵＴＲＡ：Ｅｖｏｌｖｅｄ Ｕ
ｎｉｖｅｒｓａｌ Ｔｅｒｒｅｓｔｒｉａｌ Ｒａｄｉｏ Ａｃｃｅｓｓ」と称する。）が
、第三世代パートナーシッププロジェクト（3ＧＰＰ：3ｒｄ Ｇｅｎｅｒａｔｉｏｎ Ｐａｒｔｎｅｒｓｈｉｐ Ｐｒｏｊｅｃｔ）において検討されている。ＬＴＥにおいて、基地
局装置はｅＮｏｄｅＢ（ｅｖｏｌｖｅｄ ＮｏｄｅＢ）、端末装置はＵＥ（Ｕｓｅｒ Ｅｑｕｉｐｍｅｎｔ）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ Ｍｏｂｉｌｅ Ｔｅｌｅｃｏｍｍｕｎｉｃａｔｉｏｎ）―２０２０に提案するため、次世代規格（ＮＲ：Ｎｅｗ Ｒａｄｉｏ）の検討が行
われている（非特許文献１）。ＮＲは、単一の技術の枠組みにおいて、ｅＭＢＢ（ｅｎｈａｎｃｅｄ Ｍｏｂｉｌｅ ＢｒｏａｄＢａｎｄ）、ｍＭＴＣ（ｍａｓｓｉｖｅ Ｍａｃｈ
ｉｎｅ Ｔｙｐｅ Ｃｏｍｍｕｎｉｃａｔｉｏｎ）、ＵＲＬＬＣ（Ｕｌｔｒａ Ｒｅｌｉａ
ｂｌｅ ａｎｄ Ｌｏｗ Ｌａｔｅｎｃｙ Ｃｏｍｍｕｎｉｃａｔｉｏｎ）の３つのシナリオを想定した要求を満たすことが求められている。
【０００４】
また、免許不要周波数帯（Ｕｎｌｉｃｅｎｓｅｄ  Ｓｐｅｃｔｒｕｍ）でのＮＲの適用の検討が行われている（非特許文献２）。１００ＭＨｚの広帯域をサポートするＮＲを免許不要周波数帯のキャリアに適用して数Ｇｂｐｓのデータレートを実現することが検討されている。
【先行技術文献】
【非特許文献】
【０００５】
【非特許文献１】"New SID proposal: Study on New Radio Access Technology"， RP-160671， NTT docomo， 3GPP TSG RAN Meeting #71， Goteborg， Sweden， 7th-10th March， 2016．
【０００６】
【非特許文献２】" New WID on NR-based Access to Unlicensed Spectrum", RP-182878, Qualcomm Incorporated, 3GPP TSG RAN Meeting #82, Sorrento, Italy, 10th - 13th December, 2018.
【発明の概要】
【発明が解決しようとする課題】
【０００７】
免許不要周波数帯において、他の装置が無線チャネルを利用していることが検出された場合、端末装置および基地局装置は信号を送信することができない。免許不要周波数帯においては、隠れ端末問題が存在し、端末装置および基地局装置での信号のミス検出の確率が免許周波数帯においてよりも劣化する。本発明は、効率的に通信を行う端末装置、該端末装置に用いられる通信方法、効率的に通信を行う基地局装置、該基地局装置に用いられる通信方法を提供する。
【課題を解決するための手段】
【０００８】
（１）本発明の第１の態様は、プロセッサと、 コンピュータプログラムコードを格納
するメモリと、を備える端末装置であって、前記コンピュータプログラムコードが前記プロセッサによって実行されると、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積すること、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択すること、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋとを１つのＰＵＣＣＨで送信することと、を含む動作を実行する。
【０００９】
（２）更に、送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信すること、を含む動作を実行する。
【００１０】
（３）本発明の第２の態様は、プロセッサと、 コンピュータプログラムコードを格納
するメモリと、を備える基地局装置であって、前記コンピュータプログラムコードが前記プロセッサによって実行されると、ＨＡＲＱ−ＡＣＫ  ｃｏｄｅｂｏｏｋを検出するまで、送信されたＨＡＲＱ−ＡＣＫ  ｃｏｄｅｂｏｏｋが検出されていないことを示す制御情報を送信すること、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１つ以上の再送の前記ＨＡＲＱ−ＡＣＫ  ｃｏｄｅｂｏｏｋを受信することと、を含む動作を実行する。
【００１１】
（４）更に、送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信すること、を含む動作を実行する。
【００１２】
（５）本発明の第３の態様は、端末装置に用いられる通信方法であって、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積するステップと、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択するステップと、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋとを１つのＰＵＣＣＨで送信するステップと、を含む。
【００１３】
（６）更に、送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信するステップ、を含む。
【００１４】
（７）本発明の第４の態様は、基地局装置に用いられる通信方法であって、ＨＡＲＱ−ＡＣＫ  ｃｏｄｅｂｏｏｋを検出するまで、送信されたＨＡＲＱ−ＡＣＫ  ｃｏｄｅｂｏｏｋが検出されていないことを示す制御情報を送信するステップと、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１
つ以上の再送の前記ＨＡＲＱ−ＡＣＫ  ｃｏｄｅｂｏｏｋを受信するステップと、を含む。
【００１５】
（８）更に、送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信するステップ、を含む。
【発明の効果】
【００１６】
この発明によれば、端末装置は効率的に通信を行うことができる。また、基地局装置は効率的に通信を行うことができる。
【図面の簡単な説明】
【００１７】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係る端末装置１の構成を示す概略ブロック図である。
【図５】本実施形態の一態様に係る基地局装置３の構成を示す概略ブロック図である。
【図６】本発明の実施形態におけるＨＡＲＱ−ＡＣＫ  ｃｏｄｅｂｏｏｋの再送の一例を説明する図である。
【発明を実施するための形態】
【００１８】
以下、本発明の実施形態について説明する。
【００１９】
“Ａ、および／または、Ｂ”は、“Ａ”、“Ｂ”、または“ＡおよびＢ”を含む用語であってもよい。
【００２０】
パラメータまたは情報が１または複数の値を示すことは、該パラメータまたは該情報が該１または複数の値を示すパラメータまたは情報を少なくとも含むことであってもよい。上位層パラメータは、単一の上位層パラメータであってもよい。上位層パラメータは、複数のパラメータを含む情報要素（ＩＥ： Ｉｎｆｏｒｍａｔｉｏｎ Ｅｌｅｍｅｎｔ）であってもよい。
【００２１】
図１は、本実施形態の一態様に係る無線通信システムの概念図である。図１において、無線通信システムは、端末装置１Ａ〜１Ｃ、および基地局装置３（ｇＮＢ）を具備する。以下、端末装置１Ａ〜１Ｃを端末装置１（ＵＥ）とも呼称する。
【００２２】
基地局装置３は、ＭＣＧ（Ｍａｓｔｅｒ Ｃｅｌｌ Ｇｒｏｕｐ）、および、ＳＣＧ（Ｓｅｃｏｎｄａｒｙ Ｃｅｌｌ Ｇｒｏｕｐ）の一方または両方を含んで構成されてもよい。ＭＣＧは、少なくともＰＣｅｌｌ（Ｐｒｉｍａｒｙ Ｃｅｌｌ）を含んで構成されるサー
ビングセルのグループである。ＳＣＧは、少なくともＰＳＣｅｌｌ（Ｐｒｉｍａｒｙ Ｓ
ｅｃｏｎｄａｒｙ Ｃｅｌｌ）を含んで構成されるサービングセルのグループである。Ｐ
Ｃｅｌｌは、初期接続に基づき与えられるサービングセルであってもよい。ＭＣＧは、１または複数のＳＣｅｌｌ（Ｓｅｃｏｎｄａｒｙ Ｃｅｌｌ）を含んで構成されてもよい。
ＳＣＧは、１または複数のＳＣｅｌｌを含んで構成されてもよい。サービングセル識別子（ｓｅｒｖｉｎｇ ｃｅｌｌ ｉｄｅｎｔｉｔｙ）は、サービングセルを識別するための短い識別子である。サービングセル識別子は、上位層パラメータにより与えられてもよい。
【００２３】
以下、フレーム構成について説明する。
【００２４】
本実施形態の一態様に係る無線通信システムにおいて、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ）が少なくとも用いられ
る。ＯＦＤＭシンボルは、ＯＦＤＭの時間領域の単位である。ＯＦＤＭシンボルは、少なくとも１または複数のサブキャリア（ｓｕｂｃａｒｒｉｅｒ）を含む。ＯＦＤＭシンボルは、ベースバンド信号生成において時間連続信号（ｔｉｍｅ-ｃｏｎｔｉｎｕｏｕｓ ｓｉｇｎａｌ）に変換されもよい。
【００２５】
サブキャリア間隔（ＳＣＳ： ＳｕｂＣａｒｒｉｅｒ Ｓｐａｃｉｎｇ）は、サブキャリア間隔Δｆ＝２μ・１５ｋＨｚにより与えられてもよい。例えば、サブキャリア間隔の設定（ｓｕｂｃａｒｒｉｅｒ ｓｐａｃｉｎｇ ｃｏｎｆｉｇｕｒａｔｉｏｎ）μは０、１、２、３、４、および／または、５の何れかに設定されてもよい。あるＢＷＰ（ＢａｎｄＷｉｄｔｈ Ｐａｒｔ）のために、サブキャリア間隔の設定μが上位層パラメータにより与
えられてもよい。
【００２６】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２７】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２８】
下りリンクにおける送信、および／または、上りリンクにおける送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２９】
あるサブキャリア間隔の設定μのために、サブフレームに含まれるスロットの数とインデックスが与えられてもよい。例えば、第１のスロット番号ｎμｓは、サブフレーム内において０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（ｓｌｏｔ ｃｏｎｆｉｇｕｒａｔｉｏｎ）、および／または、ＣＰ（Ｃｙｃｌｉｃ Ｐｒｅｆｉｘ）設定の一部または全部に少なくとも基づき与えられてもよい。スロット設定は、少なくとも上位層パラメータｔｄｄ−ＵＬ−ＤＬ−ＣｏｎｆｉｇｕｒａｔｉｏｎＣｏｍｍｏｎにより与えられてもよい。ＣＰ設定は、上位層パラメータに少なくとも基づき与えられてもよい。ＣＰ設定は、専用ＲＲＣシグナリングに少なくとも基づき与えられてもよい。第１のスロット番号および第２のスロット番号は、スロット番号（スロットインデックス）とも呼称される。
【００３０】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、サブキャリア間隔の設定μが２であり、ＣＰ設定がノーマルＣＰ（ｎｏｒｍａｌ ｃｙｃｌｉｃ ｐｒｅｆｉｘ）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、サブキャリア間隔の設定μが２であり、ＣＰ設定が拡張ＣＰ（ｅｘｔｅｎｄｅｄ ｃｙｃｌｉｃ ｐｒｅｆｉｘ）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００３１】
以下、物理リソースについて説明を行う。
【００３２】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（ｌａｒｇｅ ｓｃａｌｅ ｐｒｏｐｅｒｔｙ）が、もう一つのアンテナポートにおいてシンボルが伝達されるチャネルから推定できる場合、２つのアンテナポートはＱＣＬ（Ｑｕａｓｉ Ｃｏ-Ｌｏｃａｔｅｄ）であると呼称される。大規模特性は、チャネルの長区間特性を少なくとも含んでもよい。大規模特性は、遅延拡がり（ｄｅｌａｙ ｓｐ
ｒｅａｄ）、ドップラー拡がり（Ｄｏｐｐｌｅｒ ｓｐｒｅａｄ）、ドップラーシフト（
Ｄｏｐｐｌｅｒ ｓｈｉｆｔ）、平均利得（ａｖｅｒａｇｅ ｇａｉｎ）、平均遅延（ａｖｅｒａｇｅ ｄｅｌａｙ）、および、ビームパラメータ（ｓｐａｔｉａｌ Ｒｘ ｐａｒａ
ｍｅｔｅｒｓ）の一部または全部を少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００３３】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。ＮμＲＢ，ｘは、キャリアｘのためのサブキャリア間隔の設定μのために与えられるリソースブロックの最大数であってもよい。キャリアｘは下りリンクキャリアまたは上りリンクキャリアの何れかを示す。つまり、ｘは“ＤＬ”、または、“ＵＬ”である。ＮμＲＢは、ＮμＲＢ，ＤＬ、および／または、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Ｔｒａｎｓｍｉｓｓｉｏｎ ｄｉｒｅｃｔｉｏｎ）の設定ごとに少なくとも１つのリソースグリッドが与えられてもよい。送信方向は、少なくとも下りリンク（ＤＬ：ＤｏｗｎＬｉｎｋ）および上りリンク（ＵＬ：ＵｐＬｉｎｋ）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００３４】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３５】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１の何れかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３６】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３７】
端末装置１は、リソースグリッドのサブセットのみを用いて送受信を行うことが指示されてもよい。リソースグリッドのサブセットは、ＢＷＰとも呼称され、ＢＷＰは上位層パラメータ、および／または、ＤＣＩの一部または全部に少なくとも基づき与えられてもよい。ＢＷＰをバンドパートとも称する（ＢＰ：Ｂａｎｄｗｉｄｔｈ Ｐａｒｔ）。つまり
、端末装置１は、リソースグリッドのすべてのセットを用いて送受信を行なうことが指示されなくてもよい。つまり、端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、下りリンクＢＷＰとも呼称される。上りリンクキャリアに対して設定されるＢＷＰは、上りリンクＢＷＰとも呼称される。
【００３８】
端末装置１に対して、１または複数の下りリンクＢＷＰが設定されてもよい。端末装置１は、１または複数の下りリンクＢＷＰのうちの１つの下りリンクＢＷＰにおいて物理チャネル（例えば、ＰＤＣＣＨ、ＰＤＳＣＨ、ＳＳ／ＰＢＣＨ等）の受信を試みてもよい。該１つの下りリンクＢＷＰは、活性化下りリンクＢＷＰとも呼称される。
【００３９】
端末装置１に対して、１または複数の上りリンクＢＷＰが設定されてもよい。端末装置１は、１または複数の上りリンクＢＷＰのうちの１つの上りリンクＢＷＰにおいて物理チャネル（例えば、ＰＵＣＣＨ、ＰＵＳＣＨ、ＰＲＡＣＨ等）の送信を試みてもよい。該１つの上りリンクＢＷＰは、活性化上りリンクＢＷＰとも呼称される。
【００４０】
サービングセルのそれぞれに対して下りリンクＢＷＰのセットが設定されてもよい。下りリンクＢＷＰのセットは１または複数の下りリンクＢＷＰを含んでもよい。サービングセルのそれぞれに対して上りリンクＢＷＰのセットが設定されてもよい。上りリンクＢＷＰのセットは１または複数の上りリンクＢＷＰを含んでもよい。
【００４１】
上位層パラメータは、上位層の信号に含まれるパラメータである。上位層の信号は、ＲＲＣ（Ｒａｄｉｏ Ｒｅｓｏｕｒｃｅ Ｃｏｎｔｒｏｌ）シグナリングであってもよいし、ＭＡＣ  ＣＥ（Ｍｅｄｉｕｍ Ａｃｃｅｓｓ Ｃｏｎｔｒｏｌ Ｃｏｎｔｒｏｌ Ｅｌｅｍｅｎｔ）であってもよい。ここで、上位層の信号は、ＲＲＣ層の信号であってもよいし、ＭＡＣ層の信号であってもよい。
【００４２】
上位層の信号は、共通ＲＲＣシグナリング（ｃｏｍｍｏｎ ＲＲＣ ｓｉｇｎａｌｉｎｇ）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
【００４３】
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００４４】
上位層の信号は、専用ＲＲＣシグナリング（ｄｅｄｉｃａｔｅｄ ＲＲＣ ｓｉｇｎａｌｉｎｇ）であってもよい。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
【００４５】
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、ＢＷＰの設定を示す情報を少なくとも含んでもよい。該ＢＷＰの設定は、該ＢＷＰの周波数リソースを少なくとも示してもよい。
【００４６】
例えば、ＭＩＢ、第１のシステム情報、および、第２のシステム情報は共通ＲＲＣシグナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎ情報要素を含まない上位層のメッセージは、専用ＲＲＣシグナリングに含まれてもよい。また、ＤＣＣＨロ
ジカルチャネルにマップされ、且つ、ｒａｄｉｏＲｅｓｏｕｒｃｅＣｏｎｆｉｇＤｅｄｉｃａｔｅｄ情報要素を少なくとも含む上位層のメッセージは、専用ＲＲＣシグナリングに含まれてもよい。
【００４７】
第１のシステム情報は、ＳＳ（Ｓｙｎｃｈｒｏｎｉｚａｔｉｏｎ Ｓｉｇｎａｌ）ブロ
ックの時間インデックスを少なくとも示してもよい。ＳＳブロック（ＳＳ ｂｌｏｃｋ）
は、ＳＳ／ＰＢＣＨブロック（ＳＳ/ＰＢＣＨ ｂｌｏｃｋ）とも呼称される。ＳＳ／ＰＢＣＨブロックは、ＳＳ／ＰＢＣＨとも呼称される。第１のシステム情報は、ＰＲＡＣＨリソースに関連する情報を少なくとも含んでもよい。第１のシステム情報は、初期接続の設定に関連する情報を少なくとも含んでもよい。第２のシステム情報は、第１のシステム情報以外のシステム情報であってもよい。
【００４８】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含んでもよい。
【００４９】
以下、本実施形態の種々の態様に係る物理チャネルおよび物理シグナルを説明する。
【００５０】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Ｐｈｙｓｉｃａｌ Ｕｐｌｉｎｋ Ｃｏｎｔｒｏｌ ＣＨａｎｎｅｌ）
・ＰＵＳＣＨ（Ｐｈｙｓｉｃａｌ Ｕｐｌｉｎｋ Ｓｈａｒｅｄ ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００５１】
ＰＵＣＣＨは、上りリンク制御情報（ＵＣＩ：Ｕｐｌｉｎｋ Ｃｏｎｔｒｏｌ Ｉｎｆｏｒｍａｔｉｏｎ）を送信するために用いられてもよい。上りリンク制御情報は、チャネル状態情報（ＣＳＩ：Ｃｈａｎｎｅｌ Ｓｔａｔｅ Ｉｎｆｏｒｍａｔｉｏｎ）、スケジューリングリクエスト（ＳＲ：Ｓｃｈｅｄｕｌｉｎｇ Ｒｅｑｕｅｓｔ）、トランスポートブ
ロック（ＴＢ：Ｔｒａｎｓｐｏｒｔ ｂｌｏｃｋ， ＭＡＣ ＰＤＵ：Ｍｅｄｉｕｍ Ａｃｃｅｓｓ Ｃｏｎｔｒｏｌ Ｐｒｏｔｏｃｏｌ Ｄａｔａ Ｕｎｉｔ， ＤＬ-ＳＣＨ：Ｄｏｗｎｌｉｎｋ-Ｓｈａｒｅｄ Ｃｈａｎｎｅｌ， ＰＤＳＣＨ：Ｐｈｙｓｉｃａｌ Ｄｏｗｎｌｉｎｋ Ｓｈａｒｅｄ Ｃｈａｎｎｅｌ）に対応するＨＡＲＱ−ＡＣＫ（Ｈｙｂｒｉｄ Ａｕ
ｔｏｍａｔｉｃ Ｒｅｐｅａｔ ｒｅｑｕｅｓｔ ＡＣＫｎｏｗｌｅｄｇｅｍｅｎｔ）の一
部または全部を含む。
【００５２】
ＨＡＲＱ−ＡＣＫは、１つのトランスポートブロックに少なくとも対応するＨＡＲＱ−ＡＣＫビット（ＨＡＲＱ−ＡＣＫ情報）を少なくとも含んでもよい。ＨＡＲＱ−ＡＣＫビットは、１または複数のトランスポートブロックに対応するＡＣＫ（ａｃｋｎｏｗｌｅｄｇｅｍｅｎｔ）またはＮＡＣＫ（ｎｅｇａｔｉｖｅ-ａｃｋｎｏｗｌｅｄｇｅｍｅｎｔ）を示してもよい。ＨＡＲＱ−ＡＣＫは、１または複数のＨＡＲＱ−ＡＣＫビットを含むＨＡＲＱ−ＡＣＫコードブック（ＨＡＲＱ−ＡＣＫ  ｃｏｄｅｂｏｏｋ）を少なくとも含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。ＨＡＲＱ−ＡＣＫビットは、トランスポートブロックに含まれる１つのＣＢＧ（Ｃｏｄｅ Ｂｌｏｃｋ Ｇｒｏｕｐ）に対応するＡＣＫまたはＮＡＣＫを示してもよい。
【００５３】
スケジューリングリクエスト（ＳＲ：Ｓｃｈｅｄｕｌｉｎｇ Ｒｅｑｕｅｓｔ）は、初
期送信のためのＰＵＳＣＨのリソースを要求するために少なくとも用いられてもよい。スケジューリングリクエストビットは、正のＳＲ（ｐｏｓｉｔｉｖｅ ＳＲ）または、負の
ＳＲ（ｎｅｇａｔｉｖｅ ＳＲ）の何れかを示すために用いられてもよい。スケジューリ
ングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガ（Ｔｒｉｇｇｅｒ）されることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００５４】
チャネル状態情報は、チャネル品質指標（ＣＱＩ：Ｃｈａｎｎｅｌ  Ｑｕａｌｉｔｙ  Ｉｎｄｉｃａｔｏｒ）、プレコーダ行列指標（ＰＭＩ：Ｐｒｅｃｏｄｅｒ Ｍａｔｒｉｘ Ｉｎｄｉｃａｔｏｒ）、および、ランク指標（ＲＩ：Ｒａｎｋ Ｉｎｄｉｃａｔｏｒ）の
一部または全部を少なくとも含んでもよい。ＣＱＩは、チャネルの品質（例えば、伝搬強度）に関連する指標であり、ＰＭＩは、プレコーダを指示する指標である。ＲＩは、送信ランク（または、送信レイヤ数）を指示する指標である。
【００５５】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨにマップされて送信されてもよい。ＰＵＣＣＨフォーマットは、ＰＵＣＣＨで送信されてもよい。ＰＵＣＣＨフォーマットが送信されることは、ＰＵＣＣＨが送信されることであってもよい。
【００５６】
ＰＵＳＣＨは、トランスポートブロック（ＴＢ， ＭＡＣ ＰＤＵ， ＵＬ-ＳＣＨ， Ｐ
ＵＳＣＨ）を送信するために少なくとも用いられる。ＰＵＳＣＨは、トランスポートブロック、ＨＡＲＱ−ＡＣＫ、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００５７】
ＰＲＡＣＨは、ランダムアクセスプリアンブル（ランダムアクセスメッセージ１）を送信するために少なくとも用いられる。ＰＲＡＣＨは、初期コネクション確立（ｉｎｉｔｉａｌ ｃｏｎｎｅｃｔｉｏｎ ｅｓｔａｂｌｉｓｈｍｅｎｔ）プロシージャ、ハンドオーバプロシージャ、コネクション再確立（ｃｏｎｎｅｃｔｉｏｎ ｒｅ-ｅｓｔａｂｌｉｓｈｍｅｎｔ）プロシージャ、ＰＵＳＣＨの送信に対する同期（タイミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００５８】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（ＵｐＬｉｎｋ Ｄｅｍｏｄｕｌａｔｉｏｎ Ｒｅｆｅｒｅｎｃｅ Ｓｉ
ｇｎａｌ）
・ＳＲＳ（Ｓｏｕｎｄｉｎｇ Ｒｅｆｅｒｅｎｃｅ Ｓｉｇｎａｌ）
・ＵＬ  ＰＴＲＳ（ＵｐＬｉｎｋ Ｐｈａｓｅ Ｔｒａｃｋｉｎｇ Ｒｅｆｅｒｅｎｃｅ Ｓ
ｉｇｎａｌ）
【００５９】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００６０】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００６１】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００６２】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ Ｂｒｏａｄｃａｓｔ Ｃｈａｎｎｅｌ）
・ＰＤＣＣＨ（Ｐｈｙｓｉｃａｌ Ｄｏｗｎｌｉｎｋ Ｃｏｎｔｒｏｌ Ｃｈａｎｎｅｌ）
・ＰＤＳＣＨ（Ｐｈｙｓｉｃａｌ Ｄｏｗｎｌｉｎｋ Ｓｈａｒｅｄ Ｃｈａｎｎｅｌ）
【００６３】
ＰＢＣＨは、マスターインフォメーションブロック（ＭＩＢ：Ｍａｓｔｅｒ Ｉｎｆｏ
ｒｍａｔｉｏｎ Ｂｌｏｃｋ， ＢＣＨ， Ｂｒｏａｄｃａｓｔ Ｃｈａｎｎｅｌ）を送信するために少なくとも用いられる。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００６４】
ＰＤＣＣＨは、下りリンク制御情報（ＤＣＩ：Ｄｏｗｎｌｉｎｋ Ｃｏｎｔｒｏｌ Ｉｎ
ｆｏｒｍａｔｉｏｎ）の送信のために少なくとも用いられる。ＰＤＣＣＨは、下りリンク制御情報を少なくとも含んで送信されてもよい。ＰＤＣＣＨは下りリンク制御情報を含んでもよい。下りリンク制御情報は、ＤＣＩフォーマットとも呼称される。下りリンク制御情報は、下りリンクグラント（ｄｏｗｎｌｉｎｋ ｇｒａｎｔ）または上りリンクグラン
ト（ｕｐｌｉｎｋ ｇｒａｎｔ）の何れかを少なくとも含んでもよい。ＰＤＳＣＨのスケ
ジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（ｄｏｗｎｌｉｎｋ ａｓｓｉｇｎｍｅｎｔ）または下りリンク割り当て
（ｄｏｗｎｌｉｎｋ ａｌｌｏｃａｔｉｏｎ）とも呼称される。上りリンクＤＣＩフォー
マットは、ＤＣＩフォーマット０＿０およびＤＣＩフォーマット０＿１の一方または両方を少なくとも含む。
【００６５】
ＤＣＩフォーマット０＿０は、１Ａから１Ｆの一部または全部を少なくとも含んで構成される。
１Ａ）ＤＣＩフォーマット特定フィールド（Ｉｄｅｎｔｉｆｉｅｒ ｆｏｒ ＤＣＩ  ｆｏｒｍａｔｓ ｆｉｅｌｄ）
１Ｂ）周波数領域リソース割り当てフィールド（Ｆｒｅｑｕｅｎｃｙ ｄｏｍａｉｎ ｒｅｓｏｕｒｃｅ ａｓｓｉｇｎｍｅｎｔ ｆｉｅｌｄ）
１Ｃ）時間領域リソース割り当てフィールド（Ｔｉｍｅ ｄｏｍａｉｎ ｒｅｓｏｕｒｃｅ
ａｓｓｉｇｎｍｅｎｔ ｆｉｅｌｄ）
１Ｄ）周波数ホッピングフラグフィールド（Ｆｒｅｑｕｅｎｃｙ ｈｏｐｐｉｎｇ ｆｌａｇ ｆｉｅｌｄ）
１Ｅ）ＭＣＳフィールド（ＭＣＳ ｆｉｅｌｄ： Ｍｏｄｕｌａｔｉｏｎ ａｎｄ Ｃｏｄｉｎｇ Ｓｃｈｅｍｅ ｆｉｅｌｄ）
１Ｆ）第１のＣＳＩリスエストフィールド（Ｆｉｒｓｔ ＣＳＩ ｒｅｑｕｅｓｔ ｆｉｅ
ｌｄ）
【００６６】
ＤＣＩフォーマット特定フィールドは、該ＤＣＩフォーマット特定フィールドを含むＤＣＩフォーマットが１または複数のＤＣＩフォーマットの何れに対応するかを示すために少なくとも用いられてもよい。該１または複数のＤＣＩフォーマットは、ＤＣＩフォーマット１＿０、ＤＣＩフォーマット１＿１、ＤＣＩフォーマット０＿０、および／または、ＤＣＩフォーマット０＿１の一部または全部に少なくとも基づき与えられてもよい。
【００６７】
周波数領域リソース割り当てフィールドは、該周波数領域リソース割り当てフィールドを含むＤＣＩフォーマットによりスケジューリングされるＰＵＳＣＨのための周波数リソースの割り当てを示すために少なくとも用いられてもよい。周波数領域リソース割り当てフィールドは、ＦＤＲＡ（Ｆｒｅｑｕｅｎｃｙ Ｄｏｍａｉｎ Ｒｅｓｏｕｒｃｅ Ａｌｌｏｃａｔｉｏｎ）フィールドとも呼称される。
【００６８】
時間領域リソース割り当てフィールドは、該時間領域リソース割り当てフィールドを含むＤＣＩフォーマットによりスケジューリングされるＰＵＳＣＨのための時間リソースの割り当てを示すために少なくとも用いられてもよい。
【００６９】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００７０】
ＭＣＳフィールドは、該ＭＣＳフィールドを含むＤＣＩフォーマットによりスケジューリングされるＰＵＳＣＨのための変調方式、および／または、ターゲット符号化率の一部
または全部を示すために少なくとも用いられてもよい。該ターゲット符号化率は、該ＰＵＳＣＨのトランスポートブロックのためのターゲット符号化率であってもよい。該トランスポートブロックのサイズ（ＴＢＳ：Ｔｒａｎｓｐｏｒｔ Ｂｌｏｃｋ Ｓｉｚｅ）は、該ターゲット符号化率に少なくとも基づき与えられてもよい。
【００７１】
第１のＣＳＩリクエストフィールドは、ＣＳＩの報告を指示するために少なくとも用いられる。第１のＣＳＩリクエストフィールドのサイズは、所定の値であってもよい。第１のＣＳＩリクエストフィールドのサイズは、０であってもよいし、１であってもよいし、２であってもよいし、３であってもよい。
【００７２】
ＤＣＩフォーマット０＿１は、２Ａから２Ｇの一部または全部を少なくとも含んで構成される。
２Ａ）ＤＣＩフォーマット特定フィールド
２Ｂ）周波数領域リソース割り当てフィールド
２Ｃ）時間領域リソース割り当てフィールド
２Ｄ）周波数ホッピングフラグフィールド
２Ｅ）ＭＣＳフィールド
２Ｆ）第２のＣＳＩリクエストフィールド（Ｓｅｃｏｎｄ ＣＳＩ ｒｅｑｕｅｓｔ ｆｉ
ｅｌｄ）
２Ｇ）ＢＷＰフィールド（ＢＷＰ ｆｉｅｌｄ）
【００７３】
ＢＷＰフィールドは、ＤＣＩフォーマット０＿１によりスケジューリングされるＰＵＳＣＨがマップされる上りリンクＢＷＰを指示するために用いられてもよい。
【００７４】
第２のＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【００７５】
下りリンクＤＣＩフォーマットは、ＤＣＩフォーマット１＿０、および、ＤＣＩフォーマット１＿１の一方または両方を少なくとも含む。
【００７６】
ＤＣＩフォーマット１＿０は、３Ａから３Ｈの一部または全部を少なくとも含んで構成される。
３Ａ）ＤＣＩフォーマット特定フィールド（Ｉｄｅｎｔｉｆｉｅｒ ｆｏｒ ＤＣＩ  ｆｏｒｍａｔｓ ｆｉｅｌｄ）
３Ｂ）周波数領域リソース割り当てフィールド（Ｆｒｅｑｕｅｎｃｙ ｄｏｍａｉｎ ｒｅｓｏｕｒｃｅ ａｓｓｉｇｎｍｅｎｔ ｆｉｅｌｄ）
３Ｃ）時間領域リソース割り当てフィールド（Ｔｉｍｅ ｄｏｍａｉｎ ｒｅｓｏｕｒｃｅ
ａｓｓｉｇｎｍｅｎｔ ｆｉｅｌｄ）
３Ｄ）周波数ホッピングフラグフィールド（Ｆｒｅｑｕｅｎｃｙ ｈｏｐｐｉｎｇ ｆｌａｇ ｆｉｅｌｄ）
３Ｅ）ＭＣＳフィールド（ＭＣＳ ｆｉｅｌｄ： Ｍｏｄｕｌａｔｉｏｎ ａｎｄ Ｃｏｄｉｎｇ Ｓｃｈｅｍｅ ｆｉｅｌｄ）
３Ｆ）第１のＣＳＩリスエストフィールド（Ｆｉｒｓｔ ＣＳＩ ｒｅｑｕｅｓｔ ｆｉｅ
ｌｄ）
３Ｇ）ＰＤＳＣＨ−ｔｏ−ＨＡＲＱフィードバックタイミングインジケーターフィールド（ＰＤＳＣＨ−ｔｏ−ＨＡＲＱ ｆｅｅｄｂａｃｋ ｔｉｍｉｎｇ ｉｎｄｉｃａｔｏｒ ｆｉｅｌｄ）
３Ｈ）ＰＵＣＣＨリソース指示フィールド（ＰＵＣＣＨ ｒｅｓｏｕｒｃｅ ｉｎｄｉｃａｔｏｒ ｆｉｅｌｄ）
【００７７】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【００７８】
以下、ＰＤＳＣＨ−ｔｏ−ＨＡＲＱフィードバックタイミングインジケーターフィールド（ＰＤＳＣＨ−ｔｏ−ＨＡＲＱ＿ｆｅｅｄｂａｃｋ  ｔｉｍｉｎｇ  ｉｎｄｉｃａｔｏｒ  ｆｉｅｌｄ）は、ＨＡＲＱ指示フィールドと呼称されてもよい。
【００７９】
ＰＵＣＣＨリソース指示フィールドは、ＰＵＣＣＨリソースセットに含まれる１または複数のＰＵＣＣＨリソースのインデックスを示すフィールドであってもよい。
【００８０】
ＤＣＩフォーマット１＿１は、４Ａから４Ｊの一部または全部を少なくとも含んで構成される。
４Ａ）ＤＣＩフォーマット特定フィールド（Ｉｄｅｎｔｉｆｉｅｒ ｆｏｒ ＤＣＩ  ｆｏｒｍａｔｓ ｆｉｅｌｄ）
４Ｂ）周波数領域リソース割り当てフィールド（Ｆｒｅｑｕｅｎｃｙ ｄｏｍａｉｎ ｒｅｓｏｕｒｃｅ ａｓｓｉｇｎｍｅｎｔ ｆｉｅｌｄ）
４Ｃ）時間領域リソース割り当てフィールド（Ｔｉｍｅ ｄｏｍａｉｎ ｒｅｓｏｕｒｃｅ
ａｓｓｉｇｎｍｅｎｔ ｆｉｅｌｄ）
４Ｄ）周波数ホッピングフラグフィールド（Ｆｒｅｑｕｅｎｃｙ ｈｏｐｐｉｎｇ ｆｌａｇ ｆｉｅｌｄ）
４Ｅ）ＭＣＳフィールド（ＭＣＳ ｆｉｅｌｄ： Ｍｏｄｕｌａｔｉｏｎ ａｎｄ Ｃｏｄｉｎｇ Ｓｃｈｅｍｅ ｆｉｅｌｄ）
４Ｆ）第１のＣＳＩリスエストフィールド（Ｆｉｒｓｔ ＣＳＩ ｒｅｑｕｅｓｔ ｆｉｅ
ｌｄ）
４Ｇ）ＰＤＳＣＨ−ｔｏ−ＨＡＲＱフィードバックタイミングインジケーターフィールド（ＰＤＳＣＨ−ｔｏ−ＨＡＲＱ ｆｅｅｄｂａｃｋ ｔｉｍｉｎｇ ｉｎｄｉｃａｔｏｒ ｆｉｅｌｄ）
４Ｈ）ＰＵＣＣＨリソース指示フィールド（ＰＵＣＣＨ ｒｅｓｏｕｒｃｅ ｉｎｄｉｃａｔｏｒ ｆｉｅｌｄ）
４Ｊ）ＢＷＰフィールド（ＢＷＰ ｆｉｅｌｄ）
【００８１】
ＢＷＰフィールドは、ＤＣＩフォーマット１＿１によりスケジューリングされるＰＤＳＣＨがマップされる下りリンクＢＷＰを指示するために用いられてもよい。
【００８２】
ＤＣＩフォーマット２＿０は、１または複数のスロットフォーマットインディケータ（ＳＦＩ：Ｓｌｏｔ Ｆｏｒｍａｔ Ｉｎｄｉｃａｔｏｒ）を少なくとも含んで構成されてもよい。
【００８３】
下りリンク制御情報は、Ｕｎｌｉｃｅｎｓｅｄ  ａｃｃｅｓｓ共通情報を含んでもよい。Ｕｎｌｉｃｅｎｓｅｄ  ａｃｃｅｓｓ共通情報は、免許不要周波数帯でのアクセスや送受信などに関する制御情報である。Ｕｎｌｉｃｅｎｓｅｄ  ａｃｃｅｓｓ共通情報は、下りリンクのサブフレーム構成（Ｓｕｂｆｒａｍｅ  ｃｏｎｆｉｇｕｒａｔｉｏｎ  ｆｏｒ  Ｕｎｌｉｃｅｎｓｅｄ  Ａｃｃｅｓｓ）（スロット構成：Ｓｌｏｔ  ｃｏｎｆｉｇｕｒａｔｉｏｎ）の情報であってもよい。下りリンクのサブフレーム構成（スロット構成）は、下りリンクのサブフレーム構成（スロット構成）の情報を含むＰＤＣＣＨが配置されるサブフレーム（スロット）において占有されるＯＦＤＭシンボルの位置、および／または下りリンクのサブフレーム構成（スロット構成）の情報を含むＰＤＣＣＨが配置されるサブフレーム（スロット）の次のサブフレーム（スロット）において占有されるＯＦＤＭシンボルの位置を示す。占有されるＯＦＤＭシンボルにおいて下りリンク物理チャネル、下りリンク物理シグナルの送受信が行われる。Ｕｎｌｉｃｅｎｓｅｄ  ａｃｃｅｓｓ共通情報は、上りリンクのサブフレーム構成（ＵＬ  ｄｕｒａｔｉｏｎ  ａｎｄ  ｏｆｆｓｅｔ）（スロット構成）の情報であってもよい。上りリンクのサブフレーム構成（スロット構成）は、上りリンクのサブフレーム構成（スロット構成）の情報を含むＰＤＣＣＨが配置されるサブフレーム（スロット）を基準として上りリンクサブフレーム（上りリンクスロット）が開始されるサブフレーム（スロット）の位置と、上りリンクサブフレーム（上りリンクスロット）のサブフレーム（スロット）の数を示す。端末装置１は、上りリンクのサブフレーム構成（スロット構成）の情報で示されたサブフレーム（スロット）において下りリンク物理チャネル、下りリンク物理シグナルを受信することは要求されない。
【００８４】
例えば、下りリンクグラントまたは上りリンクグラントを含む下りリンク制御情報は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を含めてＰＤＣＣＨで送受信される。例えば、Ｕｎｌｉｃｅｎｓｅｄ  ａｃｃｅｓｓ共通情報は、ＣＣ−ＲＮＴＩ（Ｃｏｍｍｏｎ  Ｃｏｎｔｒｏｌ−Ｒａｄｉｏ  Ｎｅｔｗｏｒｋ  Ｔｅｍｐｏｒａｒｙ  Ｉｄｅｎｔｉｆｉｅｒ）を含めてＰＤＣＣＨで送受信される。
【００８５】
本実施形態の種々の態様において、特別な記載のない限り、リソースブロックの数は周波数領域におけるリソースブロックの数を示す。
【００８６】
下りリンクグラントは、１つのサービングセル内の１つのＰＤＳＣＨのスケジューリングのために少なくとも用いられる。
【００８７】
上りリンクグラントは、１つのサービングセル内の１つのＰＵＳＣＨのスケジューリングのために少なくとも用いられる。
【００８８】
１つの物理チャネルは、１つのサービングセルにマップされてもよい。１つの物理チャネルは、１つのサービングセルに含まれる１つのキャリアに設定される１つのＢＷＰにマップされてもよい。
【００８９】
端末装置１は、１または複数の制御リソースセット（ＣＯＲＥＳＥＴ：ＣＯｎｔｒｏｌ
ＲＥｓｏｕｒｃｅ ＳＥＴ）が設定されてもよい。端末装置１は、１または複数の制御リソースセットにおいてＰＤＣＣＨを監視する（ｍｏｎｉｔｏｒ）。ここで、１または複数の制御リソースセットにおいてＰＤＣＣＨを監視することは、１または複数の制御リソースセットのそれぞれに対応する１または複数のＰＤＣＣＨを監視することを含んでもよい。なお、ＰＤＣＣＨは、１または複数のＰＤＣＣＨ候補および／またはＰＤＣＣＨ候補のセットを含んでもよい。また、ＰＤＣＣＨを監視することは、ＰＤＣＣＨ、および／または、ＰＤＣＣＨを介して送信されるＤＣＩフォーマットを監視し、検出することを含んでもよい。
【００９０】
制御リソースセットは、１または複数のＰＤＣＣＨがマップされうる時間周波数領域を示してもよい。制御リソースセットは、端末装置１がＰＤＣＣＨを監視する領域であってもよい。制御リソースセットは、連続的なリソース（Ｌｏｃａｌｉｚｅｄ ｒｅｓｏｕｒ
ｃｅ）により構成されてもよい。制御リソースセットは、非連続的なリソース（ｄｉｓｔｒｉｂｕｔｅｄ ｒｅｓｏｕｒｃｅ）により構成されてもよい。
【００９１】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００９２】
制御リソースセットのリソースブロックへのマッピングは、上位層パラメータに少なくとも基づき与えられてもよい。該上位層パラメータは、リソースブロックのグループ（ＲＢＧ：Ｒｅｓｏｕｒｃｅ Ｂｌｏｃｋ Ｇｒｏｕｐ）に対するビットマップを含んでもよい。該リソースブロックのグループは、６つの連続するリソースブロックにより与えられてもよい。
【００９３】
制御リソースセットを構成するＯＦＤＭシンボルの数は、上位層パラメータに少なくとも基づき与えられてもよい。
【００９４】
ある制御リソースセットは、共通制御リソースセット（Ｃｏｍｍｏｎ ｃｏｎｔｒｏｌ ｒｅｓｏｕｒｃｅ ｓｅｔ）であってもよい。共通制御リソースセットは、複数の端末装
置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジューリングのために用いられるＰＤＣＣＨを監視することが設定される制御リソースセットの時間リソース、および／または、周波数リソースは、ＭＩＢに少なくとも基づき与えられてもよい。
【００９５】
ＭＩＢで設定される制御リソースセットは、ＣＯＲＥＳＥＴ＃０とも呼称される。ＣＯＲＥＳＥＴ＃０は、インデックス＃０の制御リソースセットであってもよい。
【００９６】
ある制御リソースセットは、専用制御リソースセット（Ｄｅｄｉｃａｔｅｄ ｃｏｎｔ
ｒｏｌ ｒｅｓｏｕｒｃｅ ｓｅｔ）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。端末装置１に複数の制御リソースセットが構成され、それぞれの制御リソースセットにインデックス（制御リソースセットインデックス）が付与されてもよい。制御リソースセット内に１つ以上の制御チャネル要素（ＣＣＥ）が構成され、それぞれのＣＣＥにインデックス（ＣＣＥインデックス）が付与されてもよい。
【００９７】
端末装置１によって監視されるＰＤＣＣＨの候補のセットは、探索領域（Ｓｅａｒｃｈ
ｓｐａｃｅ）の観点から定義されてもよい。つまり、端末装置１によって監視されるＰＤＣＣＨ候補のセットは、探索領域によって与えられてもよい。
【００９８】
探索領域は、１または複数の集約レベル（Ａｇｇｒｅｇａｔｉｏｎ ｌｅｖｅｌ）のＰ
ＤＣＣＨ候補を１または複数含んで構成されてもよい。ＰＤＣＣＨ候補の集約レベルは、該ＰＤＣＣＨを構成するＣＣＥの個数を示してもよい。ＰＤＤＣＨ候補は、１または複数のＣＣＥにマップされてもよい。
【００９９】
端末装置１は、ＤＲＸ（Ｄｉｓｃｏｎｔｉｎｕｏｕｓ ｒｅｃｅｐｔｉｏｎ）が設定さ
れないスロットにおいて少なくとも１または複数の探索領域を監視してもよい。ＤＲＸは、上位層パラメータに少なくとも基づき与えられてもよい。端末装置１は、ＤＲＸが設定されないスロットにおいて少なくとも１または複数の探索領域セット（Ｓｅａｒｃｈ ｓｐａｃｅ ｓｅｔ）を監視してもよい。端末装置１に複数の探索領域セットが構成されてもよい。それぞれの探索領域セットにインデックス（探索領域セットインデックス）が付与されてもよい。
【０１００】
探索領域セットは、１または複数の探索領域を少なくとも含んで構成されてもよい。それぞれの探索領域にインデックス（探索領域インデックス）が付与されてもよい。
【０１０１】
探索領域セットのそれぞれは、１つの制御リソースセットに少なくとも関連してもよい。探索領域セットのそれぞれは、１つの制御リソースセットに含まれてもよい。探索領域セットのそれぞれに対して、該探索領域セットに関連する制御リソースセットのインデックスが与えられてもよい。
【０１０２】
探索領域は、ＣＳＳ（Ｃｏｍｍｏｎ  Ｓｅａｒｃｈ  Ｓｐａｃｅ、共通探索領域）とＵＳＳ（ＵＥ−ｓｐｅｃｉｆｉｃ  Ｓｅａｒｃｈ  Ｓｐａｃｅ）の２つのタイプを持ってもよい。ＣＳＳは、複数の端末装置１に対して共通に設定される探索領域であってもよい。ＵＳＳは、個別の端末装置１のために専用的に用いられる設定を含む探索領域であってもよい。ＣＳＳは、同期信号、ＭＩＢ、第１のシステム情報、第２のシステム情報、共通ＲＲＣシグナリング、専用ＲＲＣシグナリング、セルＩＤ、等に少なくとも基づき与えられてもよい。ＵＳＳは、専用ＲＲＣシグナリング、および／または、Ｃ−ＲＮＴＩの値に少なくとも基づき与えられてもよい。ＣＳＳは、複数の端末装置１に対して共通のリソース（制御リソースエレメント）に設定される探索領域であってもよい。ＵＳＳは、個別の端末装置１毎のリソース（制御リソースエレメント）に設定される探索領域であってもよい。
【０１０３】
ＣＳＳは、プライマリセルにおいてシステム情報を送信するために用いられるＳＩ−ＲＮＴＩによってスクランブルされたＤＣＩフォーマットに対するタイプ０ＰＤＣＣＨ  ＣＳＳ、および、初期アクセスに用いられるＲＡ−ＲＮＴＩ、ＴＣ−ＲＮＴＩによってスクランブルされたＤＣＩフォーマットに対するタイプ１ＰＤＣＣＨ  ＣＳＳが用いられてもよい。ＣＳＳは、Ｕｎｌｉｃｅｎｓｅｄ  ａｃｃｅｓｓに用いられるＣＣ−ＲＮＴＩによってスクランブルされたＤＣＩフォーマットに対するタイプのＰＤＣＣＨ  ＣＳＳが用いられてもよい。端末装置１は、それらの探索領域におけるＰＤＣＣＨ候補をモニタすることができる。所定のＲＮＴＩによってスクランブルされたＤＣＩフォーマットとは、所定のＲＮＴＩによってスクランブルされたＣＲＣ（Ｃｙｃｌｉｃ  Ｒｅｄｕｎｄａｎｃｙ  Ｃｈｅｃｋ）が付加されたＤＣＩフォーマットであってもよい。
【０１０４】
ＰＤＣＣＨの受信に関連する情報は、ＰＤＣＣＨの宛先を指示するＩＤに関連する情報を含んでもよい。ＰＤＣＣＨの宛先を指示するＩＤは、ＰＤＣＣＨに付加されるＣＲＣビットのスクランブルに用いられるＩＤであってもよい。ＰＤＣＣＨの宛先を指示するＩＤは、ＲＮＴＩ（Ｒａｄｉｏ  Ｎｅｔｗｏｒｋ  Ｔｅｍｐｏｒａｒｙ  Ｉｄｅｎｔｉｆｉｅｒ）とも呼称される。ＰＤＣＣＨの受信に関連する情報は、ＰＤＣＣＨに付加されるＣＲＣビットのスクランブルに用いられるＩＤに関連する情報を含んでもよい。端末装置１は、ＰＢＣＨに含まれる該ＩＤに関連する情報に少なくとも基づき、ＰＤＣＣＨの受信を試みることができる。
【０１０５】
ＲＮＴＩは、ＳＩ−ＲＮＴＩ（Ｓｙｓｔｅｍ  Ｉｎｆｏｒｍａｔｉｏｎ  −  ＲＮＴＩ）、Ｐ−ＲＮＴＩ（Ｐａｇｉｎｇ  −  ＲＮＴＩ）、Ｃ−ＲＮＴＩ（Ｃｏｍｍｏｎ  −  ＲＮＴＩ）、Ｔｅｍｐｏｒａｒｙ  Ｃ−ＲＮＴＩ（ＴＣ−ＲＮＴＩ）、ＲＡ−ＲＮＴＩ（Ｒａｎｄｏｍ  Ａｃｃｅｓｓ  −  ＲＮＴＩ）、ＣＣ−ＲＮＴＩ（Ｃｏｍｍｏｎ  Ｃｏｎｔｒｏｌ  −  ＲＮＴＩ）、ＩＮＴ−ＲＮＴＩ（Ｉｎｔｅｒｒｕｐｔｉｏｎ  −  ＲＮＴＩ）を含んでもよい。ＳＩ−ＲＮＴＩは、システム情報を含んで送信されるＰＤＳＣＨのスケジューリングのために少なくとも用いられる。Ｐ−ＲＮＴＩは、ページング情報、および／または、システム情報の変更通知等の情報を含んで送信されるＰＤＳＣＨのスケジューリングのために少なくとも用いられる。Ｃ−ＲＮＴＩは、ＲＲＣ接続された端末装置１に対して、ユーザーデータをスケジューリングするために少なくとも用いられる。Ｔｅｍｐｏｒａｒｙ  Ｃ−ＲＮＴＩは、ランダムアクセスメッセージ４のスケジューリングのために少なくとも用いられる。Ｔｅｍｐｏｒａｒｙ  Ｃ−ＲＮＴＩは、ロジカルチャネルにおけるＣＣＣＨにマップされるデータを含むＰＤＳＣＨをスケジューリングするために少なくとも用いられる。ＲＡ−ＲＮＴＩは、ランダムアクセスメッセージ２のスケジューリングのために少なくとも用いられる。ＣＣ−ＲＮＴＩは、Ｕｎｌｉｃｅｎｓｅｄ  ａｃｃｅｓｓの制御情報の送受信のために少なくとも用いられる。ＩＮＴ−ＲＮＴＩは、下りリンクでのＰｒｅ−ｅｍｐｔｉｏｎを示すために少なくとも用いられる。
【０１０６】
なお、ＣＳＳに含まれるＰＤＣＣＨおよび／またはＤＣＩには、該ＰＤＣＣＨ／ＤＣＩが、どのサービングセル（または、どのコンポーネントキャリア）に対するＰＤＳＣＨまたはＰＵＳＣＨをスケジュールしているかを示すＣＩＦ（Ｃａｒｒｉｅｒ  Ｉｎｄｉｃａｔｏｒ  Ｆｉｅｌｄ）が含まれなくてもよい。
【０１０７】
なお、端末装置１に対して複数のサービングセルおよび／または複数のコンポーネントキャリアを集約して通信（送信および／または受信）を行なうキャリア集約（ＣＡ：キャリアアグリゲーション）が設定される場合には、所定のサービングセル（所定のコンポーネントキャリア）に対するＵＳＳに含まれるＰＤＣＣＨおよび／またはＤＣＩには、該ＰＤＣＣＨ／ＤＣＩが、どのサービングセルおよび／またはどのコンポーネントキャリアに対するＰＤＳＣＨまたはＰＵＳＣＨをスケジュールしているかを示すＣＩＦが含まれる。
【０１０８】
なお、端末装置１に対して１つのサービングセルおよび／または１つのコンポーネントキャリアを用いて通信を行なう場合には、ＵＳＳに含まれるＰＤＣＣＨおよび／またはＤＣＩには、該ＰＤＣＣＨ／ＤＣＩが、どのサービングセルおよび／またはどのコンポーネントキャリアに対するＰＤＳＣＨまたはＰＵＳＣＨをスケジュールしているかを示すＣＩＦが含まれなくてもよい。
【０１０９】
共通制御リソースセットは、ＣＳＳを含んでもよい。共通制御リソースセットは、ＣＳＳおよびＵＳＳの両方を含んでもよい。専用制御リソースセットは、ＵＳＳを含んでもよい。専用制御リソースセットは、ＣＳＳを含んでもよい。
【０１１０】
探索領域の物理リソースは制御チャネルの構成単位（ＣＣＥ：Ｃｏｎｔｒｏｌ Ｃｈａ
ｎｎｅｌ Ｅｌｅｍｅｎｔ）により構成される。ＣＣＥは所定の数のリソース要素グルー
プ（ＲＥＧ：Ｒｅｓｏｕｒｃｅ Ｅｌｅｍｅｎｔ Ｇｒｏｕｐ）により構成される。例えば、ＣＣＥは６個のＲＥＧにより構成されてもよい。ＲＥＧは１つのＰＲＢ（Ｐｈｙｓｉｃａｌ Ｒｅｓｏｕｒｃｅ Ｂｌｏｃｋ）の１ＯＦＤＭシンボルにより構成されてもよい。つまり、ＲＥＧは１２個のリソースエレメント（ＲＥ：Ｒｅｓｏｕｒｃｅ Ｅｌｅｍｅｎｔ）を含んで構成されてもよい。ＰＲＢは、単にＲＢ（Ｒｅｓｏｕｒｃｅ  Ｂｌｏｃｋ：リソースブロック）とも呼称される。
【０１１１】
ＰＤＳＣＨは、トランスポートブロックを送信／受信するために少なくとも用いられる。ＰＤＳＣＨは、ランダムアクセスメッセージ２（ランダムアクセスレスポンス）を送信／受信するために少なくとも用いられてもよい。ＰＤＳＣＨは、初期アクセスのために用いられるパラメータを含むシステム情報を送信／受信するために少なくとも用いられてもよい。
【０１１２】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（ＳＳ：Ｓｙｎｃｈｒｏｎｉｚａｔｉｏｎ ｓｉｇｎａｌ）
・ＤＬ  ＤＭＲＳ（ＤｏｗｎＬｉｎｋ ＤｅＭｏｄｕｌａｔｉｏｎ Ｒｅｆｅｒｅｎｃｅ 
Ｓｉｇｎａｌ）
・ＣＳＩ−ＲＳ（Ｃｈａｎｎｅｌ Ｓｔａｔｅ Ｉｎｆｏｒｍａｔｉｏｎ−Ｒｅｆｅｒｅｎｃｅ Ｓｉｇｎａｌ）
・ＤＬ  ＰＴＲＳ（ＤｏｗｎＬｉｎｋ Ｐｈａｓｅ Ｔｒａｃｋｉｎｇ Ｒｅｆｅｒｅｎｃ
ｅ Ｓｉｇｎａｌ）
【０１１３】
同期信号は、端末装置１が下りリンクの周波数領域、および／または、時間領域の同期をとるために用いられる。同期信号は、ＰＳＳ（Ｐｒｉｍａｒｙ Ｓｙｎｃｈｒｏｎｉｚ
ａｔｉｏｎ Ｓｉｇｎａｌ）、および、ＳＳＳ（Ｓｅｃｏｎｄａｒｙ Ｓｙｎｃｈｒｏｎｉｚａｔｉｏｎ Ｓｉｇｎａｌ）を含む。
【０１１４】
ＳＳブロック（ＳＳ／ＰＢＣＨブロック）は、ＰＳＳ、ＳＳＳ、および、ＰＢＣＨの一部または全部を少なくとも含んで構成される。
【０１１５】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。
【０１１６】
ＣＳＩ−ＲＳは、チャネル状態情報を算出するために少なくとも用いられる信号であってもよい。端末装置によって想定されるＣＳＩ−ＲＳのパターンは、少なくとも上位層パラメータにより与えられてもよい。
【０１１７】
ＰＴＲＳは、位相雑音の補償のために少なくとも用いられる信号であってもよい。端末装置によって想定されるＰＴＲＳのパターンは、上位層パラメータ、および／または、ＤＣＩに少なくとも基づき与えられてもよい。
【０１１８】
ＤＬ  ＰＴＲＳは、１または複数のＤＬ  ＤＭＲＳに用いられるアンテナポートを少なくとも含むＤＬ  ＤＭＲＳグループに関連してもよい。
【０１１９】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１２０】
ＢＣＨ（Ｂｒｏａｄｃａｓｔ ＣＨａｎｎｅｌ）、ＵＬ−ＳＣＨ（Ｕｐｌｉｎｋ−Ｓｈ
ａｒｅｄ ＣＨａｎｎｅｌ）およびＤＬ−ＳＣＨ（Ｄｏｗｎｌｉｎｋ−Ｓｈａｒｅｄ ＣＨａｎｎｅｌ）は、トランスポートチャネルである。媒体アクセス制御（ＭＡＣ：Ｍｅｄｉｕｍ Ａｃｃｅｓｓ Ｃｏｎｔｒｏｌ）層で用いられるチャネルはトランスポートチャネルと呼称される。ＭＡＣ層で用いられるトランスポートチャネルの単位は、トランスポート
ブロック（ＴＢ）またはＭＡＣ  ＰＤＵとも呼称される。ＭＡＣ層においてトランスポートブロック毎にＨＡＲＱ（Ｈｙｂｒｉｄ Ａｕｔｏｍａｔｉｃ Ｒｅｐｅａｔ ｒｅＱｕｅ
ｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【０１２１】
基地局装置３と端末装置１は、上位層（ｈｉｇｈｅｒ ｌａｙｅｒ）において上位層の
信号をやり取り（送受信）する。例えば、基地局装置３と端末装置１は、無線リソース制御（ＲＲＣ：Ｒａｄｉｏ Ｒｅｓｏｕｒｃｅ Ｃｏｎｔｒｏｌ）層において、ＲＲＣシグナリング（ＲＲＣ ｍｅｓｓａｇｅ：Ｒａｄｉｏ Ｒｅｓｏｕｒｃｅ Ｃｏｎｔｒｏｌ ｍｅｓｓａｇｅ； ＲＲＣ ｉｎｆｏｒｍａｔｉｏｎ：Ｒａｄｉｏ Ｒｅｓｏｕｒｃｅ Ｃｏｎｔｒｏｌ ｉｎｆｏｒｍａｔｉｏｎ）を送受信してもよい。また、基地局装置３と端末装置１
は、ＭＡＣ層において、ＭＡＣ  ＣＥ（Ｃｏｎｔｒｏｌ Ｅｌｅｍｅｎｔ）を送受信して
もよい。ここで、ＲＲＣシグナリング、および／または、ＭＡＣ  ＣＥを、上位層の信号（ｈｉｇｈｅｒ ｌａｙｅｒ ｓｉｇｎａｌｉｎｇ）とも称する。
【０１２２】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層パラメータは、サービングセル内における複数の端末装置１に対して共通のシグナリング、または、ある端末装置１に対して専用のシグナリングを用いて送信／受信されてもよい。ＵＥ固有な上位層パラメータは、ある端末装置１に対して専用のシグナリングを用いて送信／受信されてもよい。
【０１２３】
ＢＣＣＨ（Ｂｒｏａｄｃａｓｔ Ｃｏｎｔｒｏｌ ＣＨａｎｎｅｌ）、ＣＣＣＨ（Ｃｏｍｍｏｎ Ｃｏｎｔｒｏｌ ＣＨａｎｎｅｌ）、および、ＤＣＣＨ（Ｄｅｄｉｃａｔｅｄ Ｃ
ｏｎｔｒｏｌ ＣＨａｎｎｅｌ）は、ロジカルチャネルである。例えば、ＢＣＣＨは、Ｍ
ＩＢを送信／受信するために用いられる上位層のチャネルである。また、ＣＣＣＨ（Ｃｏｍｍｏｎ Ｃｏｎｔｒｏｌ ＣＨａｎｎｅｌ）は、複数の端末装置１において共通な情報を送信／受信するために用いられる上位層のチャネルである。ここで、ＣＣＣＨは、例えば、ＲＲＣ接続されていない端末装置１のために用いられてもよい。また、ＤＣＣＨ（Ｄｅｄｉｃａｔｅｄ Ｃｏｎｔｒｏｌ ＣＨａｎｎｅｌ）は、端末装置１に専用の制御情報（ｄｅｄｉｃａｔｅｄ ｃｏｎｔｒｏｌ ｉｎｆｏｒｍａｔｉｏｎ）を送信／受信するために少なくとも用いられる上位層のチャネルである。ここで、ＤＣＣＨは、例えば、ＲＲＣ接続されている端末装置１のために用いられてもよい。
【０１２４】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１２５】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルに
おいてＰＤＳＣＨにマップされてもよい。トランスポートチャネルにおけるＢＣＨは、物理チャネルにおいてＰＢＣＨにマップされてもよい。
【０１２６】
以下、本実施形態の一態様に係る端末装置１の構成例を説明する。
【０１２７】
図４は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１２８】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（ＰＤＣＰ：Ｐａｃｋｅｔ Ｄａｔａ Ｃｏｎｖｅｒｇｅｎｃｅ Ｐｒｏｔｏｃｏｌ）層、無線リンク制御（ＲＬＣ：Ｒａｄｉｏ Ｌｉｎｋ Ｃｏｎｔｒ
ｏｌ）層、ＲＲＣ層の処理を行なう。
【０１２９】
上位層処理部１４が備える媒体アクセス制御層処理部１５は、ＭＡＣ層の処理を行う。
【０１３０】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１３１】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１３２】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１３３】
ベースバンド部１３は、ＲＦ部１２から入力されたアナログ信号をディジタル信号に変換する。ベースバンド部１３は、変換したディジタル信号からＣＰ（Ｃｙｃｌｉｃ Ｐｒ
ｅｆｉｘ）に相当する部分を除去し、ＣＰを除去した信号に対して高速フーリエ変換（ＦＦＴ：Ｆａｓｔ Ｆｏｕｒｉｅｒ Ｔｒａｎｓｆｏｒｍ）を行い、周波数領域の信号を抽出する。
【０１３４】
ベースバンド部１３は、データを逆高速フーリエ変換（ＩＦＦＴ：Ｉｎｖｅｒｓｅ Ｆ
ａｓｔ Ｆｏｕｒｉｅｒ Ｔｒａｎｓｆｏｒｍ）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３５】
ＲＦ部１２は、ローパスフィルタを用いてベースバンド部１３から入力されたアナログ信号から余分な周波数成分を除去し、アナログ信号を搬送波周波数にアップコンバート（ｕｐ ｃｏｎｖｅｒｔ）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３６】
以下、本実施形態の一態様に係る基地局装置３の構成例を説明する。
【０１３７】
図５は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３８】
上位層処理部３４は、ＭＡＣ層、ＰＤＣＰ層、ＲＬＣ層、ＲＲＣ層の処理を行なう。
【０１３９】
上位層処理部３４が備える媒体アクセス制御層処理部３５は、ＭＡＣ層の処理を行う。
【０１４０】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１４１】
無線送受信部３０の機能は、無線送受信部１０と同様であるため説明を省略する。
【０１４２】
端末装置１が備える符号１０から符号１６が付された部のそれぞれは、回路として構成されてもよい。基地局装置３が備える符号３０から符号３６が付された部のそれぞれは、回路として構成されてもよい。
【０１４３】
端末装置１は物理信号の送信に先立ってキャリアセンス（Ｃａｒｒｉｅｒ ｓｅｎｓｅ
）を実施してもよい。また、基地局装置３は物理信号の送信に先立ってキャリアセンスを実施してもよい。キャリアセンスは、無線チャネル（Ｒａｄｉｏ ｃｈａｎｎｅｌ）にお
いてエネルギー検出（Ｅｎｅｒｇｙ ｄｅｔｅｃｔｉｏｎ）を実施することであってもよ
い。物理信号の送信に先立って実施されるキャリアセンスに基づき、該物理信号の送信可否が与えられてもよい。例えば、物理信号の送信に先立って実施されるキャリアセンスによって検出されるエネルギー量が所定のしきい値よりも大きい場合に、該物理チャネルの送信が行われなくてもよい、または、送信が不可と判断されてもよい。また、物理信号の送信に先立って実施されるキャリアセンスによって検出されるエネルギー量が所定のしきい値よりも小さい場合に、該物理チャネルの送信が行われてもよい、または、送信が可能と判断されてもよい。また、物理信号の送信に先立って実施されるキャリアセンスによって検出されるエネルギー量が所定のしきい値と等しい場合に、該物理チャネルの送信が行われてもよいし、行われなくてもよい。つまり、物理信号の送信に先立って実施されるキ
ャリアセンスによって検出されるエネルギー量が所定のしきい値と等しい場合に、送信が不可と判断されてもよいし、送信が可能と判断されてもよい。
【０１４４】
キャリアセンスに基づき物理チャネルの送信可否が与えられる手順は、ＬＢＴ（Ｌｉｓｔｅｎ Ｂｅｆｏｒｅ Ｔａｌｋ）とも呼称される。ＬＢＴの結果として物理信号の送信が不可と判断される状況は、ｂｕｓｙ状態、または、ｂｕｓｙとも呼称される。例えば、ｂｕｓｙ状態は、キャリアセンスによって検出されるエネルギー量が所定のしきい値よりも大きい状態であってもよい。また、ＬＢＴの結果として物理信号の送信が可能と判断される状況は、ｉｄｌｅ状態、または、ｉｄｌｅとも呼称される。例えば、ｉｄｌｅ状態は、キャリアセンスによって検出されるエネルギー量が所定のしきい値よりも小さい状態であってもよい。ＬＢＴの結果として物理信号の送信が不可と判断されることをＬＢＴ  ｆａｉｌｕｒｅとも呼称される。
【０１４５】
連続してチャネルが占有される区間（チャネル占有区間）（Ｃｈａｎｎｅｌ  Ｏｃｃｕｐａｎｃｙ  Ｔｉｍｅ：ＣＯＴ）は、国によって予め値が決められていてもよいし、周波数帯毎に予め値が決められていてもよい。基地局装置３がチャネル占有区間を端末装置１に通知してもよい。端末装置１は、チャネル占有区間の長さを認識しており、チャネル占有区間が終了するタイミングを把握することができる。例えば、ＣＯＴの最大値は、２ｍｓ、３ｍｓ、６ｍｓ、８ｍｓ、１０ｍｓの何れかであってもよい。
【０１４６】
端末装置１は、上りリンク制御情報（ＵＣＩ）をＰＵＣＣＨに多重して送信してもよい。端末装置１は、ＵＣＩをＰＵＳＣＨに多重して送信してもよい。ＵＣＩは、下りリンクのチャネル状態情報（Ｃｈａｎｎｅｌ Ｓｔａｔｅ Ｉｎｆｏｒｍａｔｉｏｎ： ＣＳＩ）、ＰＵＳＣＨリソースの要求を示すスケジューリング要求（Ｓｃｈｅｄｕｌｉｎｇ Ｒｅｑｕｅｓｔ： ＳＲ）、下りリンクデータ（Ｔｒａｎｓｐｏｒｔ ｂｌｏｃｋ，Ｍｅｄｉｕｍ Ａｃｃｅｓｓ Ｃｏｎｔｒｏｌ Ｐｒｏｔｏｃｏｌ Ｄａｔａ Ｕｎｉｔ： ＭＡＣ ＰＤＵ，Ｄｏｗｎｌｉｎｋ−Ｓｈａｒｅｄ Ｃｈａｎｎｅｌ： ＤＬ−ＳＣＨ，Ｐｈｙｓｉｃａｌ Ｄｏｗｎｌｉｎｋ Ｓｈａｒｅｄ Ｃｈａｎｎｅｌ：ＰＤＳＣＨ）に対するＨＡＲＱ−ＡＣＫ（Ｈｙｂｒｉｄ Ａｕｔｏｍａｔｉｃ Ｒｅｐｅａｔ ｒｅｑｕｅｓｔ ＡＣＫｎｏｗｌｅｄｇｅｍｅｎｔ）のうち、少なくとも１つを含んでもよい。
【０１４７】
ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも呼称されてもよい。
【０１４８】
下りリンクデータが成功裏に復号された場合、該下りリンクデータに対するＡＣＫが生成される。下りリンクデータが成功裏に復号されなかった場合、該下りリンクデータに対するＮＡＣＫが生成される。ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１つ、または、複数のトランスポートブロックに対応するＡＣＫ（ＡＣＫｎｏｗｌｅｄｇｅｍｅｎｔ）または、ＮＡＣＫ（Ｎｅｇａｔｉｖｅ−ＡＣＫｎｏｗｌｅｄｇｅｍｅｎｔ）を示してもよい。ＨＡＲＱ−ＡＣＫは、１つまたは複数のＨＡＲＱ−ＡＣＫビットを含むＨＡＲＱ−ＡＣＫコードブック（ＨＡＲＱ−ＡＣＫ  ｃｏｄｅｂｏｏｋ）を少なくとも含んでもよい。ＨＡＲＱ−ＡＣＫビットが１つ、または、複数のトランスポートブロックに対応することは、ＨＡＲＱ−ＡＣＫビットが該１または複数のトランスポートブロックを含むＰＤＳＣＨに対応することであってもよい。
【０１４９】
１つのトランスポートブロックに対するＨＡＲＱ制御をＨＡＲＱプロセスと呼んでもよい。ＨＡＲＱプロセス毎に一つのＨＡＲＱプロセス識別子が与えられてもよい。
【０１５０】
端末装置１は、ＰＤＳＣＨ受信に対応するＤＣＩフォーマット１＿０、または、ＤＣＩフォーマット１＿１に含まれるＨＡＲＱ指示フィールドの値により指示されるスロットにおいて、ＨＡＲＱ−ＡＣＫ情報を、ＨＡＲＱ−ＡＣＫコードブック（ＨＡＲＱ−ＡＣＫ  ｃｏｄｅｂｏｏｋ）を用いて基地局装置３に報告してもよい。
【０１５１】
ＤＣＩフォーマット１＿０に対して、ＨＡＲＱ指示フィールドの値はスロット数のセット（１，２，３，４，５，６，７，８）にマップされてもよい。ＤＣＩフォーマット１＿１に対して、ＨＡＲＱ指示フィールドの値は、上位層パラメータｄｌ−ＤａｔａＴｏＵＬ−ＡＣＫによって与えられるスロット数のセットにマップされてもよい。ＨＡＲＱ指示フィールドの値に少なくとも基づき指示されるスロット数は、ＨＡＲＱ−ＡＣＫタイミング、または、Ｋ１とも呼称されてもよい。例えば、スロットｎにおいて送信されるＰＤＳＣＨ（下りリンクデータ）の復号状態を表すＨＡＲＱ−ＡＣＫは、スロットｎ＋Ｋ１において報告（送信）されてもよい。
【０１５２】
ｄｌ−ＤａｔａＴｏＵＬ−ＡＣＫは、ＰＤＳＣＨに対するＨＡＲＱ−ＡＣＫのタイミングのリストを示す。タイミングとは、ＰＤＳＣＨが受信されたスロット（または、ＰＤＳＣＨがマップされる最後のＯＦＤＭシンボルを含むスロット）を基準として、受信されたＰＤＳＣＨに対するＨＡＲＱ−ＡＣＫが送信されるスロットとの間のスロット数である。例えば、ｄｌ−ＤａｔａＴｏＵＬ−ＡＣＫは、１個、または２個、または３個、または４個、または５個、または６個、または７個、または８個のタイミングのリストである。ｄｌ−ＤａｔａＴｏＵＬ−ＡＣＫが１個のタイミングのリストの場合、ＨＡＲＱ指示フィールドは０ビットである。ｄｌ−ＤａｔａＴｏＵＬ−ＡＣＫが２個のタイミングのリストの場合、ＨＡＲＱ指示フィールドは１ビットである。ｄｌ−ＤａｔａＴｏＵＬ−ＡＣＫが３個、または４個のタイミングのリストの場合、ＨＡＲＱ指示フィールドは２ビットである。ｄｌ−ＤａｔａＴｏＵＬ−ＡＣＫが５個、または６個、または７個、または８個のタイミングのリストの場合、ＨＡＲＱ指示フィールドは３ビットである。例えば、ｄｌ−ＤａｔａＴｏＵＬ−ＡＣＫは、０から３１の範囲の何れかの値のタイミングのリストから構成される。例えば、ｄｌ−ＤａｔａＴｏＵＬ−ＡＣＫは、０から６３の範囲の何れかの値のタイミングのリストから構成される。
【０１５３】
ｄｌ−ＤａｔａＴｏＵＬ−ＡＣＫのサイズは、ｄｌ−ＤａｔａＴｏＵＬ−ＡＣＫが含める要素の数と定義される。ｄｌ−ＤａｔａＴｏＵＬ−ＡＣＫのサイズは、Ｌｐａｒａと呼称されてもよい。ｄｌ−ＤａｔａＴｏＵＬ−ＡＣＫのインデックスは、ｄｌ−ＤａｔａＴｏＵＬ−ＡＣＫの要素の順番（番号）を示す。例えば、ｄｌ−ＤａｔａＴｏＵＬ−ＡＣＫのサイズが８である（Ｌｐａｒａ＝８）場合、ｄｌ−ＤａｔａＴｏＵＬ−ＡＣＫのインデックスは１、２、３、４、５、６、７、または、８の何れかの値である。ｄｌ−ＤａｔａＴｏＵＬ−ＡＣＫのインデックスは、ＨＡＲＱ指示フィールドが示す値により与えられてもよい、または示されてもよい、または指示されてもよい。
【０１５４】
端末装置１は、ｄｌ−ＤａｔａＴｏＵＬ−ＡＣＫのサイズに応じてＨＡＲＱ−ＡＣＫ  ｃｏｄｅｂｏｏｋのサイズを設定する。例えば、ｄｌ−ＤａｔａＴｏＵＬ−ＡＣＫが８個の要素からなる場合、ＨＡＲＱ−ＡＣＫ  ｃｏｄｅｂｏｏｋのサイズは８である。例えば、ｄｌ−ＤａｔａＴｏＵＬ−ＡＣＫが２個の要素からなる場合、ＨＡＲＱ−ＡＣＫ  ｃｏｄｅｂｏｏｋのサイズは２である。ＨＡＲＱ−ＡＣＫ  ｃｏｄｅｂｏｏｋを構成するそれぞれのＨＡＲＱ−ＡＣＫ情報は、ｄｌ−ＤａｔａＴｏＵＬ−ＡＣＫの各スロットタイミングのＰＤＳＣＨ受信に対するＨＡＲＱ−ＡＣＫ情報である。このタイプのＨＡＲＱ−ＡＣＫ  ｃｏｄｅｂｏｏｋは、Ｓｅｍｉ−ｓｔａｔｉｃ  ＨＡＲＱ−ＡＣＫ  ｃｏｄｅｂｏｏｋとも称する。
【０１５５】
ＨＡＲＱ指示フィールドの設定の一例を説明する。例えば、ｄｌ−ＤａｔａＴｏＵＬ−
ＡＣＫは、０、７、１５、２３、３１、３９、４７、５５の８個のタイミングのリストから構成され、ＨＡＲＱ指示フィールドは３ビットから構成される。ＨＡＲＱ指示フィールドが“０００”は、対応するタイミングとしてｄｌ−ＤａｔａＴｏＵＬ−ＡＣＫのリストの１番目の０と対応する。すなわち、ＨＡＲＱ指示フィールドが“０００”は、ｄｌ−ＤａｔａＴｏＵＬ−ＡＣＫのインデックス  １が示す値０と対応する。ＨＡＲＱ指示フィールドが“００１”は、対応するタイミングとしてｄｌ−ＤａｔａＴｏＵＬ−ＡＣＫのリストの２番目の７と対応する。ＨＡＲＱ指示フィールドが“０１０”は、対応するタイミングとしてｄｌ−ＤａｔａＴｏＵＬ−ＡＣＫのリストの３番目の１５と対応する。ＨＡＲＱ指示フィールドが“０１１”は、対応するタイミングとしてｄｌ−ＤａｔａＴｏＵＬ−ＡＣＫのリストの４番目の２３と対応する。ＨＡＲＱ指示フィールドが“１００”は、対応するタイミングとしてｄｌ−ＤａｔａＴｏＵＬ−ＡＣＫのリストの５番目の３１と対応する。ＨＡＲＱ指示フィールドが“１０１”は、対応するタイミングとしてｄｌ−ＤａｔａＴｏＵＬ−ＡＣＫのリストの６番目の３９と対応する。ＨＡＲＱ指示フィールドが“１１０”は、対応するタイミングとしてｄｌ−ＤａｔａＴｏＵＬ−ＡＣＫのリストの７番目の４７と対応する。ＨＡＲＱ指示フィールドが“１１１”は、対応するタイミングとしてｄｌ−ＤａｔａＴｏＵＬ−ＡＣＫのリストの８番目の５５と対応する。端末装置１は、受信されたＨＡＲＱ指示フィールドが“０００”を示す場合、受信されたＰＤＳＣＨのスロットから０番目のスロットで対応するＨＡＲＱ−ＡＣＫを送信する。端末装置１は、受信されたＨＡＲＱ指示フィールドが“００１”を示す場合、受信されたＰＤＳＣＨのスロットから７番目のスロットで対応するＨＡＲＱ−ＡＣＫを送信する。端末装置１は、受信されたＨＡＲＱ指示フィールドが“０１０”を示す場合、受信されたＰＤＳＣＨのスロットから１５番目のスロットで対応するＨＡＲＱ−ＡＣＫを送信する。端末装置１は、受信されたＨＡＲＱ指示フィールドが“０１１”を示す場合、受信されたＰＤＳＣＨのスロットから２３番目のスロットで対応するＨＡＲＱ−ＡＣＫを送信する。端末装置１は、受信されたＨＡＲＱ指示フィールドが“１００”を示す場合、受信されたＰＤＳＣＨのスロットから３１番目のスロットで対応するＨＡＲＱ−ＡＣＫを送信する。端末装置１は、受信されたＨＡＲＱ指示フィールドが“１０１”を示す場合、受信されたＰＤＳＣＨのスロットから３９番目のスロットで対応するＨＡＲＱ−ＡＣＫを送信する。端末装置１は、受信されたＨＡＲＱ指示フィールドが“１１０”を示す場合、受信されたＰＤＳＣＨのスロットから４７番目のスロットで対応するＨＡＲＱ−ＡＣＫを送信する。端末装置１は、受信されたＨＡＲＱ指示フィールドが“１１１”を示す場合、受信されたＰＤＳＣＨのスロットから５５番目のスロットで対応するＨＡＲＱ−ＡＣＫを送信する。
【０１５６】
端末装置１に上位層パラメータｐｄｓｃｈ−ＡｇｇｒｅｇａｔｉｏｎＦａｃｔｏｒが与えられた場合、ＮＰＤＳＣＨｒｅｐｅａｔはｐｄｓｃｈ−ＡｇｇｒｅｇａｔｉｏｎＦａｃｔｏｒの値であってもよい。端末装置１に上位層パラメータｐｄｓｃｈ−ＡｇｇｒｅｇａｔｉｏｎＦａｃｔｏｒが与えられなかった場合、ＮＰＤＳＣＨｒｅｐｅａｔは１であってもよい。端末装置１はスロットｎ−ＮＰＤＳＣＨｒｅｐｅａｔ＋１からスロットｎまでのＰＤＳＣＨ受信のためのＨＡＲＱ−ＡＣＫ情報をスロットｎ＋ｋにおけるＰＵＣＣＨ送信、および／または、ＰＵＳＣＨ送信を用いて報告してもよい。ここで、ｋは該ＰＤＳＣＨ受信に対応するＤＣＩフォーマットに含まれるＨＡＲＱ指示フィールドによって指示されたスロットの数であってもよい。また、ＨＡＲＱ指示フィールドがＤＣＩフォーマットに含まれない場合、ｋは上位層パラメータｄｌ−ＤａｔａＴｏＵＬ−ＡＣＫによって与えられてもよい。
【０１５７】
端末装置１がＤＣＩフォーマット１＿０を含むＰＤＣＣＨをモニタリングするように構成され、且つ、ＤＣＩフォーマット１＿１を含むＰＤＣＣＨをモニタリングしないように構成される場合、ＨＡＲＱ−ＡＣＫタイミング値Ｋ１は（１、２、３、４、５、６、７、８）の一部または全部であってもよい。端末装置１がＤＣＩフォーマット１＿１を含むＰＤＣＣＨをモニタリングするように構成される場合、該ＨＡＲＱ−ＡＣＫタイミング値Ｋ
１は上位層パラメータｄｌ−ＤａｔａＴｏＵＬ−ＡＣＫによって与えられてもよい。
【０１５８】
端末装置１は、あるスロットのＰＵＣＣＨで対応するＨＡＲＱ−ＡＣＫ情報を送信する、１つ以上の候補ＰＤＳＣＨ受信に対する複数の機会のセットを判断する。端末装置１は、ｄｌ−ＤａｔａＴｏＵＬ−ＡＣＫに含まれるスロットタイミングＫ１の複数のスロットを候補ＰＤＳＣＨ受信に対する複数の機会と判断する。Ｋ１は、ｋの集合であってもよい。例えば、ｄｌ−ＤａｔａＴｏＵＬ−ＡＣＫが（１、２、３、４、５、６、７、８）の場合、スロットｎのＰＵＣＣＨでは、ｎ−１のスロットのＰＤＳＣＨ受信、ｎ−２のスロットのＰＤＳＣＨ受信、ｎ−３のスロットのＰＤＳＣＨ受信、ｎ−４のスロットのＰＤＳＣＨ受信、ｎ−５のスロットのＰＤＳＣＨ受信、ｎ−６のスロットのＰＤＳＣＨ受信、ｎ−７のスロットのＰＤＳＣＨ受信、ｎ−８のスロットのＰＤＳＣＨ受信に対するＨＡＲＱ−ＡＣＫ情報が送信される。端末装置１は、候補ＰＤＳＣＨ受信に該当するスロットにおいて実際にＰＤＳＣＨを受信した場合はそのＰＤＳＣＨに含まれるトランスポートブロックに基づいてＡＣＫ、またはＮＡＣＫをＨＡＲＱ−ＡＣＫ情報として設定し、候補ＰＤＳＣＨ受信に該当するスロットにおいてＰＤＳＣＨを受信しなかった場合はＮＡＣＫをＨＡＲＱ−ＡＣＫ情報として設定する。
【０１５９】
ｎ−１のスロットのＰＤＣＣＨで受信されるＤＣＩ  ｆｏｒｍａｔに含まれるＨＡＲＱ指示フィールドは、１を示す。ｎ−２のスロットのＰＤＣＣＨで受信されるＤＣＩ  ｆｏｒｍａｔに含まれるＨＡＲＱ指示フィールドは、２を示す。ｎ−３のスロットのＰＤＣＣＨで受信されるＤＣＩ  ｆｏｒｍａｔに含まれるＨＡＲＱ指示フィールドは、３を示す。ｎ−４のスロットのＰＤＣＣＨで受信されるＤＣＩ  ｆｏｒｍａｔに含まれるＨＡＲＱ指示フィールドは、４を示す。ｎ−５のスロットのＰＤＣＣＨで受信されるＤＣＩ  ｆｏｒｍａｔに含まれるＨＡＲＱ指示フィールドは、５を示す。ｎ−６のスロットのＰＤＣＣＨで受信されるＤＣＩ  ｆｏｒｍａｔに含まれるＨＡＲＱ指示フィールドは、６を示す。ｎ−７のスロットのＰＤＣＣＨで受信されるＤＣＩ  ｆｏｒｍａｔに含まれるＨＡＲＱ指示フィールドは、７を示す。ｎ−８のスロットのＰＤＣＣＨで受信されるＤＣＩ  ｆｏｒｍａｔに含まれるＨＡＲＱ指示フィールドは、８を示す。
【０１６０】
端末装置１は、ＰＤＣＣＨを受信したスロットと、受信したＤＣＩ  ｆｏｒｍａｔに含まれるＨＡＲＱ指示フィールドの値に基づき、ＨＡＲＱ−ＡＣＫ情報を送信するスロット、そのＨＡＲＱ−ＡＣＫ情報に対応する複数の候補ＰＤＳＣＨ受信のスロットのセットを判断する。例えば、ｄｌ−ＤａｔａＴｏＵＬ−ＡＣＫが（１、２、３、４、５、６、７、８）の場合、端末装置１はスロットｍでＰＤＣＣＨを受信し、ＤＣＩ  ｆｏｒｍａｔに含まれるＨＡＲＱ指示フィールドが４を示すとする。端末装置１は、スロット（ｍ＋４）でＨＡＲＱ−ＡＣＫ情報を送信すると判断する。端末装置１は、スロット（ｍ＋４）で送信される他のＨＡＲＱ−ＡＣＫ情報が、スロット（ｍ＋（１−４））のＰＤＳＣＨ受信に対するＨＡＲＱ−ＡＣＫ情報と、スロット（ｍ＋（２−４））のＰＤＳＣＨ受信に対するＨＡＲＱ−ＡＣＫ情報と、スロット（ｍ＋（３−４））のＰＤＳＣＨ受信に対するＨＡＲＱ−ＡＣＫ情報と、スロット（ｍ＋（５−４））のＰＤＳＣＨ受信に対するＨＡＲＱ−ＡＣＫ情報と、スロット（ｍ＋（６−４））のＰＤＳＣＨ受信に対するＨＡＲＱ−ＡＣＫ情報と、スロット（ｍ＋（７−４））のＰＤＳＣＨ受信に対するＨＡＲＱ−ＡＣＫ情報と、スロット（ｍ＋（８−４））のＰＤＳＣＨ受信に対するＨＡＲＱ−ＡＣＫ情報とであると判断する。
【０１６１】
ｄｌ−ＤａｔａＴｏＵＬ−ＡＣＫは、ＨＡＲＱ−ＡＣＫのタイミングとしてスロットの数を示す値だけではなく、ＨＡＲＱ−ＡＣＫを保持することを示す値（情報）も構成されうる。端末装置１は、ＰＤＣＣＨでＨＡＲＱ−ＡＣＫを保持することを示す値を示すＨＡＲＱ指示フィールドを受信した場合、そのＰＤＣＣＨでスケジュールされるＰＤＳＣＨに対するＨＡＲＱ−ＡＣＫ（ＨＡＲＱ−ＡＣＫ情報）を保持し、ＨＡＲＱ−ＡＣＫ（ＨＡＲ
Ｑ−ＡＣＫ情報）の送信を待機する。
【０１６２】
端末装置１は、基地局装置３からの指示に基づき、ＨＡＲＱ−ＡＣＫ  ｃｏｄｅｂｏｏｋの再送を行う。例えば、ＤＣＩ  ｆｏｒｍａｔにＨＡＲＱ−ＡＣＫ  ｃｏｄｅｂｏｏｋの再送を指示する情報が含まれる。ＨＡＲＱ−ＡＣＫ  ｃｏｄｅｂｏｏｋの再送を指示する情報は、明示的、または暗黙的に示される。例えば、ＬＢＴ  ｆａｉｌｕｒｅにより、端末装置１がＨＡＲＱ−ＡＣＫ  ｃｏｄｅｂｏｏｋの送信が行なえなかった場合に、端末装置１からのＨＡＲＱ−ＡＣＫ  ｃｏｄｅｂｏｏｋの送信を検出しなかった基地局装置３がＨＡＲＱ−ＡＣＫ  ｃｏｄｅｂｏｏｋの再送を指示する。例えば、端末装置１がＨＡＲＱ−ＡＣＫ  ｃｏｄｅｂｏｏｋを送信したが、隠れ端末による干渉のため適切にＨＡＲＱ−ＡＣＫ  ｃｏｄｅｂｏｏｋを検出することができなかった基地局装置３がＨＡＲＱ−ＡＣＫ  ｃｏｄｅｂｏｏｋの再送を指示する。
【０１６３】
例えば、ＨＡＲＱ−ＡＣＫ  ｃｏｄｅｂｏｏｋの再送に関する制御情報（Ｎｅｗ  ＨＡＲＱ−ＡＣＫ  ｃｏｄｅｂｏｏｋ  ｉｎｄｉｃａｔｏｒ）としてトグルビット（ｔｏｇｇｌｅｄ  ｂｉｔ）が用いられる。基地局装置３は、ＨＡＲＱ−ＡＣＫ  ｃｏｄｅｂｏｏｋを検出した場合、ＨＡＲＱ−ＡＣＫ  ｃｏｄｅｂｏｏｋの再送を端末装置１に指示しない際に、ＨＡＲＱ−ＡＣＫ  ｃｏｄｅｂｏｏｋの再送に関する制御情報のビットをトグルして送信する。端末装置１は、ＨＡＲＱ−ＡＣＫ  ｃｏｄｅｂｏｏｋの再送に関する制御情報のビットがトグルされていることを検出し、前回送信したＨＡＲＱ−ＡＣＫ  ｃｏｄｅｂｏｏｋが基地局装置３に検出されたと認識し、新規のＨＡＲＱ−ＡＣＫ  ｃｏｄｅｂｏｏｋの送信のみ、または新規のＨＡＲＱ−ＡＣＫ  ｃｏｄｅｂｏｏｋの送信と基地局装置３において検出されていないＨＡＲＱ−ＡＣＫ  ｃｏｄｅｂｏｏｋの再送を行う。基地局装置３は、ＨＡＲＱ−ＡＣＫ  ｃｏｄｅｂｏｏｋを検出できなかった場合、ＨＡＲＱ−ＡＣＫ  ｃｏｄｅｂｏｏｋの再送を端末装置１に指示する際に、ＨＡＲＱ−ＡＣＫ  ｃｏｄｅｂｏｏｋの再送に関する制御情報のビットをトグルせずに送信する。端末装置１は、ＨＡＲＱ−ＡＣＫ  ｃｏｄｅｂｏｏｋの再送に関する制御情報のビットがトグルされていないことを検出し、新規のＨＡＲＱ−ＡＣＫ  ｃｏｄｅｂｏｏｋの送信と、送信済みＨＡＲＱ−ＡＣＫ  ｃｏｄｅｂｏｏｋの再送、またはＬＢＴ  ｆａｉｌｕｒｅにより送信できなかったＨＡＲＱ−ＡＣＫ  ｃｏｄｅｂｏｏｋの再送を行う。
【０１６４】
端末装置１は、トグルされたＨＡＲＱ−ＡＣＫ  ｃｏｄｅｂｏｏｋの再送に関する制御情報のビットを受信するまで、ＨＡＲＱ−ＡＣＫ  ｃｏｄｅｂｏｏｋの再送を蓄積していく。蓄積した複数のＨＡＲＱ−ＡＣＫ  ｃｏｄｅｂｏｏｋにおけるＨＡＲＱ−ＡＣＫ情報の総数と、新規のＨＡＲＱ−ＡＣＫ  ｃｏｄｅｂｏｏｋにおけるＨＡＲＱ−ＡＣＫ情報の総数の総和が第一の値を超えると、端末装置１は、新規のＨＡＲＱ−ＡＣＫ  ｃｏｄｅｂｏｏｋの送信と共に、ＨＡＲＱ−ＡＣＫ情報の総数が第一の値を超えないように選択した複数のＨＡＲＱ−ＡＣＫ  ｃｏｄｅｂｏｏｋの再送のみを行う。端末装置１は、ＨＡＲＱ−ＡＣＫ情報の総数が第一の値を超えないように選択した複数のＨＡＲＱ−ＡＣＫ  ｃｏｄｅｂｏｏｋの再送が基地局装置３で適切に受信され、トグルされたＨＡＲＱ−ＡＣＫ  ｃｏｄｅｂｏｏｋの再送に関する制御情報のビットを受信すると、残りの蓄積されたＨＡＲＱ−ＡＣＫ  ｃｏｄｅｂｏｏｋの再送を再開する。
【０１６５】
第一の値は、ＨＡＲＱ−ＡＣＫ  ｃｏｄｅｂｏｏｋの送信に用いられるＰＵＣＣＨに関して、ＰＵＣＣＨに対するリソースブロックの数、リソースブロックのサブキャリア数、ＰＵＣＣＨの時間領域のシンボル数、ＰＵＣＣＨの変調方式、基地局装置３より設定される最大符号化率の少なくとも一つ、複数、または全てのパラメータに基づいて算出される。なお、その他のパラメータが第一の値の算出に考慮されてもよい。
【０１６６】
例えば、１つのＨＡＲＱ−ＡＣＫ  ｃｏｄｅｂｏｏｋのサイズが８、第一の値が２４と
する。ＨＡＲＱ−ＡＣＫ  ｃｏｄｅｂｏｏｋのサイズとは、ＨＡＲＱ−ＡＣＫ  ｃｏｄｅｂｏｏｋに含まれるＨＡＲＱ−ＡＣＫの数（ビット数）である。端末装置１は、１つのＰＵＣＣＨで３つのＨＡＲＱ−ＡＣＫ  ｃｏｄｅｂｏｏｋの送信まで行う。端末装置１は、２つのＨＡＲＱ−ＡＣＫ  ｃｏｄｅｂｏｏｋの再送と、１つのＨＡＲＱ−ＡＣＫ  ｃｏｄｅｂｏｏｋの新規送信とを１つのＰＵＣＣＨで行う。端末装置１は、更に３つ以上のＨＡＲＱ−ＡＣＫ  ｃｏｄｅｂｏｏｋの再送を蓄積している場合、２つのＨＡＲＱ−ＡＣＫ  ｃｏｄｅｂｏｏｋの再送を次回のＰＵＣＣＨで行う。その後、端末装置１がトグルされたＨＡＲＱ−ＡＣＫ  ｃｏｄｅｂｏｏｋの再送に関する制御情報のビットを受信した場合、言い換えると、基地局装置３がＰＵＣＣＨの検出に成功したことを暗に示す制御情報を端末装置１に送信して、端末装置１がその制御情報を受信した場合、端末装置１は残りの蓄積されたＨＡＲＱ−ＡＣＫ  ｃｏｄｅｂｏｏｋの再送を行う。
【０１６７】
例えば、１つのＨＡＲＱ−ＡＣＫ  ｃｏｄｅｂｏｏｋのサイズが８、第一の値が２０とする。３つのＨＡＲＱ−ＡＣＫ  ｃｏｄｅｂｏｏｋのトータルサイズは２４となり、第一の値を超えるため、端末装置１は、１つのＨＡＲＱ−ＡＣＫ  ｃｏｄｅｂｏｏｋの再送と、１つのＨＡＲＱ−ＡＣＫ  ｃｏｄｅｂｏｏｋの新規送信とを１つのＰＵＣＣＨで行う。このように、第一の値は、１つのＨＡＲＱ−ＡＣＫ  ｃｏｄｅｂｏｏｋのサイズの倍数でなくてもよい。
【０１６８】
例えば、１つのＨＡＲＱ−ＡＣＫ  ｃｏｄｅｂｏｏｋのサイズが８、第一の値が２４．５とする。４つのＨＡＲＱ−ＡＣＫ  ｃｏｄｅｂｏｏｋのトータルサイズは３２となり、第一の値を超えるため、端末装置１は、２つのＨＡＲＱ−ＡＣＫ  ｃｏｄｅｂｏｏｋの再送と、１つのＨＡＲＱ−ＡＣＫ  ｃｏｄｅｂｏｏｋの新規送信とを１つのＰＵＣＣＨで行う。このように、第一の値は、整数でなくてもよい。
【０１６９】
図６は、本発明の実施形態におけるＨＡＲＱ−ＡＣＫ  ｃｏｄｅｂｏｏｋの再送の一例を説明する図である。ここでは、１つのＨＡＲＱ−ＡＣＫ  ｃｏｄｅｂｏｏｋのサイズが８、第一の値が２４の場合について説明する。端末装置１は、ＨＡＲＱ−ＡＣＫ  ｃｏｄｅｂｏｏｋ  １の新規送信を行う（６０１）。基地局装置３は、ＨＡＲＱ−ＡＣＫ  ｃｏｄｅｂｏｏｋ  １の検出ができず、トグルされないＨＡＲＱ−ＡＣＫ  ｃｏｄｅｂｏｏｋの再送に関する制御情報のビットを送信する。端末装置１は、トグルされないＨＡＲＱ−ＡＣＫ  ｃｏｄｅｂｏｏｋの再送に関する制御情報のビットを受信し、ＨＡＲＱ−ＡＣＫ
ｃｏｄｅｂｏｏｋ  １の再送とＨＡＲＱ−ＡＣＫ  ｃｏｄｅｂｏｏｋ  ２の新規送信を行う（６０２）。基地局装置３は、ＨＡＲＱ−ＡＣＫ  ｃｏｄｅｂｏｏｋ  １とＨＡＲＱ−ＡＣＫ  ｃｏｄｅｂｏｏｋ  ２の検出ができず、トグルされないＨＡＲＱ−ＡＣＫ  ｃｏｄｅｂｏｏｋの再送に関する制御情報のビットを送信する。端末装置１は、トグルされないＨＡＲＱ−ＡＣＫ  ｃｏｄｅｂｏｏｋの再送に関する制御情報のビットを受信し、ＨＡＲＱ−ＡＣＫ  ｃｏｄｅｂｏｏｋ  １の再送とＨＡＲＱ−ＡＣＫ  ｃｏｄｅｂｏｏｋ  ２の再送とＨＡＲＱ−ＡＣＫ  ｃｏｄｅｂｏｏｋ  ３の新規送信を行う（６０３）。基地局装置３は、ＨＡＲＱ−ＡＣＫ  ｃｏｄｅｂｏｏｋ  １とＨＡＲＱ−ＡＣＫ  ｃｏｄｅｂｏｏｋ  ２とＨＡＲＱ−ＡＣＫ  ｃｏｄｅｂｏｏｋ  ３の検出ができず、トグルされないＨＡＲＱ−ＡＣＫ  ｃｏｄｅｂｏｏｋの再送に関する制御情報のビットを送信する。端末装置１は、トグルされないＨＡＲＱ−ＡＣＫ  ｃｏｄｅｂｏｏｋの再送に関する制御情報のビットを受信し、ＨＡＲＱ−ＡＣＫ  ｃｏｄｅｂｏｏｋ  １の再送とＨＡＲＱ−ＡＣＫ
ｃｏｄｅｂｏｏｋ  ２の再送とＨＡＲＱ−ＡＣＫ  ｃｏｄｅｂｏｏｋ  ４の新規送信を行う（６０４）。ここで、端末装置１は、ＨＡＲＱ−ＡＣＫ  ｃｏｄｅｂｏｏｋ  ３の情報を蓄積しておく。基地局装置３は、ＨＡＲＱ−ＡＣＫ  ｃｏｄｅｂｏｏｋ  １とＨＡＲＱ−ＡＣＫ  ｃｏｄｅｂｏｏｋ  ２とＨＡＲＱ−ＡＣＫ  ｃｏｄｅｂｏｏｋ  ４の検出ができ、トグルされたＨＡＲＱ−ＡＣＫ  ｃｏｄｅｂｏｏｋの再送に関する制御情報のビットを送信する。端末装置１は、トグルされたＨＡＲＱ−ＡＣＫ  ｃｏｄｅｂｏｏｋの再送
に関する制御情報のビットを受信し、ＨＡＲＱ−ＡＣＫ  ｃｏｄｅｂｏｏｋ  ３の再送とＨＡＲＱ−ＡＣＫ  ｃｏｄｅｂｏｏｋ  ５の新規送信を行う（６０５）。
【０１７０】
ＨＡＲＱ−ＡＣＫ  ｃｏｄｅｂｏｏｋの再送に関する制御情報は、ＰＤＳＣＨのスケジューリングのためのＤＣＩ  ｆｏｒｍａｔに含まれて送受信される。端末装置１は、そのＤＣＩ  ｆｏｒｍａｔを検出し、そのＤＣＩ  ｆｏｒｍａｔでスケジュールされたＰＤＳＣＨに対するＨＡＲＱ−ＡＣＫを含むＨＡＲＱ−ＡＣＫ  ｃｏｄｅｂｏｏｋ（新規送信のＨＡＲＱ−ＡＣＫ  ｃｏｄｅｂｏｏｋ）と、少なくとも一度送信されたＨＡＲＱ−ＡＣＫ  ｃｏｄｅｂｏｏｋ、または少なくとも一度送信の準備を行なったＨＡＲＱ−ＡＣＫ  ｃｏｄｅｂｏｏｋとを同じＰＵＣＣＨで送信する。言い換えると、端末装置１は、現時点のＣＯＴに対するＳｅｍｉ−ｓｔａｔｉｃ  ＨＡＲＱ−ＡＣＫ  ｃｏｄｅｂｏｏｋの新規送信と、過去のＣＯＴに対するＳｅｍｉ−ｓｔａｔｉｃ  ＨＡＲＱ−ＡＣＫ  ｃｏｄｅｂｏｏｋの再送とを１つのＰＵＣＣＨで送信する。隠れ端末問題により基地局装置３において深刻な信号の干渉が発生する場合、端末装置１から送信されたＨＡＲＱ−ＡＣＫ  ｃｏｄｅｂｏｏｋが基地局装置３において適切に検出されない。送信の準備を行なったＨＡＲＱ−ＡＣＫ  ｃｏｄｅｂｏｏｋを送信する前に、他の装置が無線チャネルを利用していることが検出された場合（ＬＢＴ  ｆａｉｌｕｒｅとも称する）、端末装置１は送信の準備を行なったＨＡＲＱ−ＡＣＫ  ｃｏｄｅｂｏｏｋを送信しない。
【０１７１】
端末装置１の一連の動作、基地局装置３の一連の動作の一例を説明する。基地局装置３は、ＣＯＴ  １で１つ以上のＰＤＳＣＨを送信し、ＨＡＲＱ−ＡＣＫ  ｃｏｄｅｂｏｏｋ
１の送信を端末装置１に指示する。端末装置１は、ＣＯＴ  １で１つ以上のＰＤＳＣＨを受信し、ＣＯＴ  １で受信したＰＤＳＣＨに対するＨＡＲＱ−ＡＣＫ  ｃｏｄｅｂｏｏｋ  １をＰＵＣＣＨ  １で送信する。基地局装置３は、ＰＵＣＣＨ  １でＨＡＲＱ−ＡＣＫ  ｃｏｄｅｂｏｏｋ  １が検出できず、ＣＯＴ  ２でＨＡＲＱ−ＡＣＫ  ｃｏｄｅｂｏｏｋが検出されなかったことを示す制御情報を端末装置１に送信する。また、基地局装置３は、ＣＯＴ  ２で１つ以上のＰＤＳＣＨを送信し、ＨＡＲＱ−ＡＣＫ  ｃｏｄｅｂｏｏｋ  ２の送信を端末装置１に指示する。端末装置１は、ＣＯＴ  ２でＨＡＲＱ−ＡＣＫ  ｃｏｄｅｂｏｏｋが検出されなかったことを示す制御情報を受信し、１つ以上のＰＤＳＣＨを受信し、ＣＯＴ  ２で受信したＰＤＳＣＨに対するＨＡＲＱ−ＡＣＫ  ｃｏｄｅｂｏｏｋ  ２と、ＨＡＲＱ−ＡＣＫ  ｃｏｄｅｂｏｏｋ  １とをＰＵＣＣＨ  ２で送信する。
【０１７２】
基地局装置３は、ＰＵＣＣＨ  ２でＨＡＲＱ−ＡＣＫ  ｃｏｄｅｂｏｏｋ  １とＨＡＲＱ−ＡＣＫ  ｃｏｄｅｂｏｏｋ  ２が検出できず、ＣＯＴ  ３でＨＡＲＱ−ＡＣＫ  ｃｏｄｅｂｏｏｋが検出されなかったことを示す制御情報を端末装置１に送信する。また、基地局装置３は、ＣＯＴ  ３で１つ以上のＰＤＳＣＨを送信し、ＨＡＲＱ−ＡＣＫ  ｃｏｄｅｂｏｏｋ  ３の送信を端末装置１に指示する。端末装置１は、ＣＯＴ  ３でＨＡＲＱ−ＡＣＫ  ｃｏｄｅｂｏｏｋが検出されなかったことを示す制御情報を受信し、１つ以上のＰＤＳＣＨを受信し、ＣＯＴ  ３で受信したＰＤＳＣＨに対するＨＡＲＱ−ＡＣＫ  ｃｏｄｅｂｏｏｋ  ３と、ＨＡＲＱ−ＡＣＫ  ｃｏｄｅｂｏｏｋ  １と、ＨＡＲＱ−ＡＣＫ  ｃｏｄｅｂｏｏｋ  ２とをＰＵＣＣＨ  ３で送信する。
【０１７３】
基地局装置３は、ＰＵＣＣＨ  ３でＨＡＲＱ−ＡＣＫ  ｃｏｄｅｂｏｏｋ  １とＨＡＲＱ−ＡＣＫ  ｃｏｄｅｂｏｏｋ  ２とＨＡＲＱ−ＡＣＫ  ｃｏｄｅｂｏｏｋ  ３が検出できず、ＣＯＴ  ４でＨＡＲＱ−ＡＣＫ  ｃｏｄｅｂｏｏｋが検出されなかったことを示す制御情報を端末装置１に送信する。また、基地局装置３は、ＣＯＴ  ４で１つ以上のＰＤＳＣＨを送信し、ＨＡＲＱ−ＡＣＫ  ｃｏｄｅｂｏｏｋ  ４の送信を端末装置１に指示する。端末装置１は、ＣＯＴ  ４でＨＡＲＱ−ＡＣＫ  ｃｏｄｅｂｏｏｋが検出されなかったことを示す制御情報を受信し、１つ以上のＰＤＳＣＨを受信し、ＣＯＴ  ４で受信したＰＤＳＣＨに対するＨＡＲＱ−ＡＣＫ  ｃｏｄｅｂｏｏｋ  ４と、ＨＡＲＱ−ＡＣＫ  ｃ
ｏｄｅｂｏｏｋ  １と、ＨＡＲＱ−ＡＣＫ  ｃｏｄｅｂｏｏｋ  ２とをＰＵＣＣＨ  ４で送信する。端末装置１は、ＨＡＲＱ−ＡＣＫ  ｃｏｄｅｂｏｏｋ  １と、ＨＡＲＱ−ＡＣＫ  ｃｏｄｅｂｏｏｋ  ２とＨＡＲＱ−ＡＣＫ  ｃｏｄｅｂｏｏｋ  ３とＨＡＲＱ−ＡＣＫ  ｃｏｄｅｂｏｏｋ  ４のＨＡＲＱ−ＡＣＫ情報の総和が第一の値を超えるため、１つのＰＵＣＣＨで送信するＨＡＲＱ−ＡＣＫ情報の総和が第一の値を超えないように、再送するＨＡＲＱ−ＡＣＫ  ｃｏｄｅｂｏｏｋとしてＨＡＲＱ−ＡＣＫ  ｃｏｄｅｂｏｏｋ  １と、ＨＡＲＱ−ＡＣＫ  ｃｏｄｅｂｏｏｋ  ２を選択する。端末装置１は、選択しなかったＨＡＲＱ−ＡＣＫ  ｃｏｄｅｂｏｏｋ  ３は保持しておく（送信待ちの状態とする）。
【０１７４】
基地局装置３は、ＰＵＣＣＨ  ４でＨＡＲＱ−ＡＣＫ  ｃｏｄｅｂｏｏｋ  １とＨＡＲＱ−ＡＣＫ  ｃｏｄｅｂｏｏｋ  ２とＨＡＲＱ−ＡＣＫ  ｃｏｄｅｂｏｏｋ  ４が検出でき、ＣＯＴ  ５でＨＡＲＱ−ＡＣＫ  ｃｏｄｅｂｏｏｋが検出されたことを示す制御情報を端末装置１に送信する。また、基地局装置３は、ＣＯＴ  ５で１つ以上のＰＤＳＣＨを送信し、ＨＡＲＱ−ＡＣＫ  ｃｏｄｅｂｏｏｋ  ５の送信を端末装置１に指示する。端末装置１は、ＣＯＴ  ５でＨＡＲＱ−ＡＣＫ  ｃｏｄｅｂｏｏｋが検出されたことを示す制御情報を受信し、１つ以上のＰＤＳＣＨを受信し、ＣＯＴ  ５で受信したＰＤＳＣＨに対するＨＡＲＱ−ＡＣＫ  ｃｏｄｅｂｏｏｋ  ５と、ＨＡＲＱ−ＡＣＫ  ｃｏｄｅｂｏｏｋ
３とをＰＵＣＣＨ  ５で送信する。端末装置１は、保持しておいたＨＡＲＱ−ＡＣＫ  ｃｏｄｅｂｏｏｋ  ３の再送を行う。
【０１７５】
なお、ＨＡＲＱ−ＡＣＫ  ｃｏｄｅｂｏｏｋの再送を指示する制御情報としてトグルビット（ｔｏｇｇｌｅｄ  ｂｉｔ）ではなく、異なる制御情報により基地局装置３から端末装置１に通知されてもよい。ＨＡＲＱ−ＡＣＫ  ｃｏｄｅｂｏｏｋの再送を指示する制御情報として、サイクリックに値がインクリメントされる情報（ビット）が用いられてもよい。基地局装置３においてＨＡＲＱ−ＡＣＫ  ｃｏｄｅｂｏｏｋの検出ができた場合、値がインクリメントされて端末装置１に通知される。端末装置１は、前回受信した値と比較して値がインクリメントされている場合、送信したＨＡＲＱ−ＡＣＫ  ｃｏｄｅｂｏｏｋが基地局装置３において検出されたと認識し、ＨＡＲＱ−ＡＣＫ  ｃｏｄｅｂｏｏｋの再送を行わない。基地局装置３においてＨＡＲＱ−ＡＣＫ  ｃｏｄｅｂｏｏｋの検出ができなかった場合、値がインクリメントされずに端末装置１に通知される。端末装置１は、前回受信した値と比較してインクリメントされていない場合、つまり同じ値を受信した場合、送信したＨＡＲＱ−ＡＣＫ  ｃｏｄｅｂｏｏｋが基地局装置３において検出されなかったと認識し、ＨＡＲＱ−ＡＣＫ  ｃｏｄｅｂｏｏｋの再送を行う。
【０１７６】
１つのＰＵＣＣＨで送信される複数のＨＡＲＱ−ＡＣＫ  ｃｏｄｅｂｏｏｋのサイズを制御し、再送待ち状態のＨＡＲＱ−ＡＣＫ  ｃｏｄｅｂｏｏｋを時間領域で分散して送受信するようにすることにより、ＨＡＲＱ−ＡＣＫ  ｃｏｄｅｂｏｏｋの受信品質を適切なレベルに維持することができる。その結果、端末装置１は効率的に通信を行うことができる。その結果、基地局装置３は効率的に通信を行うことができる。
【０１７７】
以下、本実施形態の一態様に係る種々の装置の態様を説明する。
【０１７８】
（１）上記の目的を達成するために、本発明の態様は、以下のような手段を講じた。すなわち、本発明の第１の態様は、プロセッサと、 コンピュータプログラムコードを格納
するメモリと、を備える端末装置であって、前記コンピュータプログラムコードが前記プロセッサによって実行されると、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積すること、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が
第一の値を超えないように１つ以上の蓄積された再送の前記ＨＡＲＱ−ＡＣＫ  ｃｏｄｅｂｏｏｋを選択すること、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋとを１つのＰＵＣＣＨで送信することと、を含む動作を実行する。
【０１７９】
（２）更に、送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信すること、を含む動作を実行する。
【０１８０】
（３）本発明の第２の態様は、プロセッサと、 コンピュータプログラムコードを格納
するメモリと、を備える基地局装置であって、前記コンピュータプログラムコードが前記プロセッサによって実行されると、ＨＡＲＱ−ＡＣＫ  ｃｏｄｅｂｏｏｋを検出するまで、送信されたＨＡＲＱ−ＡＣＫ  ｃｏｄｅｂｏｏｋが検出されていないことを示す制御情報を送信すること、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１つ以上の再送の前記ＨＡＲＱ−ＡＣＫ  ｃｏｄｅｂｏｏｋを受信することと、を含む動作を実行する。
【０１８１】
（４）更に、送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信すること、を含む動作を実行する。
【０１８２】
（５）本発明の第３の態様は、端末装置に用いられる通信方法であって、送信されたＨＡＲＱ−ＡＣＫ  ｃｏｄｅｂｏｏｋが検出されたことを示す制御情報を受信するまで、ＨＡＲＱ−ＡＣＫ  ｃｏｄｅｂｏｏｋの再送を蓄積するステップと、新規送信のＨＡＲＱ−ＡＣＫ  ｃｏｄｅｂｏｏｋのＨＡＲＱ−ＡＣＫ情報と、再送の前記ＨＡＲＱ−ＡＣＫ  ｃｏｄｅｂｏｏｋのＨＡＲＱ−ＡＣＫ情報の総和が第一の値を超えないように１つ以上の蓄積された再送の前記ＨＡＲＱ−ＡＣＫ  ｃｏｄｅｂｏｏｋを選択するステップと、新規送信の前記ＨＡＲＱ−ＡＣＫ  ｃｏｄｅｂｏｏｋと、選択された１つ以上の再送の前記ＨＡＲＱ−ＡＣＫ  ｃｏｄｅｂｏｏｋとを１つのＰＵＣＣＨで送信するステップと、を含む。
【０１８３】
（６）更に、送信されたＨＡＲＱ−ＡＣＫ  ｃｏｄｅｂｏｏｋが検出されたことを示す制御情報を受信した場合、新規送信の前記ＨＡＲＱ−ＡＣＫ  ｃｏｄｅｂｏｏｋと、選択されなかった残りの再送の前記ＨＡＲＱ−ＡＣＫ  ｃｏｄｅｂｏｏｋとを１つのＰＵＣＣＨで送信するステップ、を含む。
【０１８４】
（７）本発明の第４の態様は、基地局装置に用いられる通信方法であって、ＨＡＲＱ−ＡＣＫ  ｃｏｄｅｂｏｏｋを検出するまで、送信されたＨＡＲＱ−ＡＣＫ  ｃｏｄｅｂｏｏｋが検出されていないことを示す制御情報を送信するステップと、新規送信のＨＡＲＱ−ＡＣＫ  ｃｏｄｅｂｏｏｋのＨＡＲＱ−ＡＣＫ情報と、再送のＨＡＲＱ−ＡＣＫ  ｃｏｄｅｂｏｏｋのＨＡＲＱ−ＡＣＫ情報との総和が第一の値を超えないように選択された１つ以上の再送の前記ＨＡＲＱ−ＡＣＫ  ｃｏｄｅｂｏｏｋを受信するステップと、を含む。
【０１８５】
（８）更に、送信されたＨＡＲＱ−ＡＣＫ  ｃｏｄｅｂｏｏｋが検出されたことを示す制御情報を送信した場合、選択されなかった残りの再送の前記ＨＡＲＱ−ＡＣＫ  ｃｏｄｅｂｏｏｋを受信するステップ、を含む。
【０１８６】
本発明に関わる基地局装置３、および端末装置１で動作するプログラムは、本発明に関
わる上記実施形態の機能を実現するように、ＣＰＵ（Central Processing Unit）等を制
御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１８７】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１８８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１９０】
端末装置１は、少なくとも１つのプロセッサと、コンピュータプログラムインストラクション（コンピュータプログラム）を含む少なくとも１つのメモリからなってもよい。メモリとコンピュータプログラムインストラクション（コンピュータプログラム）はプロセッサを用いて、上記の実施形態に記載の動作、処理を端末装置１に行わせるような構成でもよい。基地局装置３は、少なくとも１つのプロセッサと、コンピュータプログラムインストラクション（コンピュータプログラム）を含む少なくとも１つのメモリからなってもよい。メモリとコンピュータプログラムインストラクション（コンピュータプログラム）はプロセッサを用いて、上記の実施形態に記載の動作、処理を基地局装置３に行わせるような構成でもよい。
【０１９１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９２】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢおよび／またはｇＮＢに対する上位ノードの機能の一部または全部を有してもよい。
【０１９３】
また、上述した実施形態における端末装置１、基地局装置３の一部、又は全部を典型的には集積回路であるＬＳＩとして実現してもよいし、チップセットとして実現してもよい
。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０１９４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１９６】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2020150391.tif 000003
【図２】
2020150391.tif 000004
【図３】
2020150391.tif 000005
【図４】
2020150391.tif 000006
【図５】
2020150391.tif 000007
【図６】
2020150391.tif 000008